(57)【要約】  同じ時間領域リソースと、同じ非ライセンスチャネルにおける直交周波数インターレースまたは同じ周波数インターレースのいずれかとが割り当てられる電子デバイス（ＥＤ）の選択されたセットの構成を可能にする方法およびデバイスが提供される。非ライセンスチャネルにおける伝送開始ポイントを揃えるべくＥＤの選択されたセットを構成することは、そして、伝送開始ポイントの少なくとも一部に対して遮断シンボルを利用することは、ＬＢＴ手順の間の相互遮断を緩和し得る。
2022501954.tif 000002
【特許請求の範囲】
【請求項１】
無線通信ネットワークにおける電子デバイス（ＥＤ）のための方法であって、前記方法は、
基地局から、前記ＥＤにおいて、非ライセンススペクトルにおけるＣＧアップリンク伝送のための前記ＥＤを構成するために、構成されたグラント（ＣＧ）リソース構成情報を受信する段階であって、前記ＣＧリソース構成情報は、ＣＧ時間領域リソースの期間内におけるＣＧ時間領域リソースの持続時間の指示と、前記ＣＧ時間領域リソースの周期性の指示とを含む、受信する段階と、
前記ＣＧリソース構成情報に従って、前記非ライセンススペクトルを介して前記ＣＧアップリンク伝送を伝送する段階と
を備える、方法。
【請求項２】
前記ＣＧリソース構成情報はさらに、ＣＧ時間領域リソース割り当て情報を備え、前記時間領域リソース割り当て情報は、リッスン・ビフォア・トーク（ＬＢＴ）手順が成功すると、前記ＥＤが前記ＣＧ時間領域リソースの持続時間内にＣＧアップリンク伝送を開始する複数の機会を識別する、請求項１に記載の方法。
【請求項３】
前記ＣＧ時間領域リソースの持続時間の前記指示は、前記ＣＧ時間領域リソースを含む前記期間内の前記ＣＧ時間領域リソースのサイズの指示を備える、請求項１または２に記載の方法。
【請求項４】
前記ＣＧ時間領域リソースの前記サイズの前記指示は、
ＣＧ時間領域リソースのサイズのセットから選択されたＣＧ時間領域リソースのサイズに関連付けられたインデックス、または、
前記ＣＧ時間領域リソースの絶対サイズの指示のうちの１つである、請求項３に記載の方法。
【請求項５】
前記ＣＧリソース構成情報に含まれるＣＧ時間領域リソース割り当て情報は、
前記ＣＧ時間領域リソース内の伝送の多数の開始位置の指示と、
前記ＣＧ時間領域リソース内の多数のブランキング位置の指示、または、
前記ＣＧ時間領域リソースの先頭からのブランキング位置間の時間間隔の指示のうちの１つと
を含み、
前記ブランキング位置の各々には、前記ブランキング位置における前記伝送の開始ポイントの指示、または、
前記ブランキング位置からの多数のブランキングシンボルの指示のうちの１つを含む、請求項２から４のいずれか一項に記載の方法。
【請求項６】
すべての前記ＣＧリソース構成情報は、無線リソース制御（ＲＲＣ）シグナリングにおいて受信される、請求項１から５のいずれか一項に記載の方法。
【請求項７】
前記ＣＧリソース構成情報は、一部は無線リソース制御（ＲＲＣ）シグナリングにおいて、一部はダウンリンク制御情報（ＤＣＩ）シグナリングにおいて受信される、請求項１から５のいずれか一項に記載の方法。
【請求項８】
前記ＣＧリソース構成情報は、他のＥＤにより実行されるＬＢＴ手順の間、前記ＥＤと前記他のＥＤとの間の相互遮断を緩和するために、前記ＥＤの伝送開始位置の先頭にブランキング位置を揃えるように選択される、請求項１から７のいずれか一項に記載の方法。
【請求項９】
直交周波数インターレースを使用するように構成される前記ＥＤと他のＥＤとの周波数多重化を可能にするために、前記ＥＤの伝送開始位置と他のＥＤの伝送開始位置とを揃えるように前記ＣＧリソース構成情報を選択する段階をさらに備える、請求項１から８のいずれか一項に記載の方法。
【請求項１０】
前記ＥＤが、広帯域キャリア内の複数のサブバンドの識別と、前記非ライセンススペクトルにおける前記ＣＧアップリンク伝送のために構成された１または複数の周波数インターレースとを備える周波数領域リソースの指示を受信する段階と、
前記ＥＤが、前記複数のサブバンドのうちの少なくとも１つに対してＬＢＴ手順を実行する段階と
をさらに備える、請求項１から９のいずれか一項に記載の方法。
【請求項１１】
前記複数のサブバンドにおけるサブバンドの数は、前記伝送のトラフィックタイプ、または前記伝送の伝送ブロック（ＴＢ）サイズのうちの１つに基づく、請求項１０に記載の方法。
【請求項１２】
前記ＥＤが、前記非ライセンススペクトルにおける前記ＣＧアップリンク伝送のための前記複数のサブバンドに対するサブバンドごとに１または複数の周波数インターレースの指示を受信する段階であって、前記ＥＤのために構成されたサブバンドごとの前記１または複数の周波数インターレースは、前記基地局がサービスを提供する他のＥＤのために構成されたサブバンドごとの１または複数の周波数インターレースとは異なる、受信する段階をさらに備える、請求項１０に記載の方法。
【請求項１３】
無線通信ネットワークにおける基地局のための方法であって、前記方法は、
前記基地局において、非ライセンススペクトルにおけるＣＧアップリンク伝送のための電子デバイス（ＥＤ）を構成するために、構成されたグラント（ＣＧ）リソース構成情報を前記ＥＤに伝送する段階であって、前記ＣＧリソース構成情報は、
ＣＧ時間領域リソースの期間内におけるＣＧ時間領域リソースの持続時間の指示と、
前記ＣＧ時間領域リソースの周期性の指示と
を含む、伝送する段階と、
前記ＣＧリソース構成情報に従って、前記非ライセンススペクトルを介して前記ＣＧアップリンク伝送を受信する段階と
を備える、方法。
【請求項１４】
前記ＣＧリソース構成情報はさらに、ＣＧ時間領域リソース割り当て情報を含み、前記時間領域リソース割り当て情報は、リッスン・ビフォア・トーク（ＬＢＴ）手順が成功すると、前記ＥＤが前記ＣＧ時間領域リソースの持続時間内にＣＧアップリンク伝送を開始する複数の機会を識別する、請求項１３に記載の方法。
【請求項１５】
前記ＣＧ時間領域リソースの持続時間の前記指示は、前記ＣＧ時間領域リソースを含む期間内の前記ＣＧ時間領域リソースのサイズの指示を備える、請求項１３または１４に記載の方法。
【請求項１６】
前記ＣＧ時間領域リソースの前記サイズの前記指示は、
ＣＧ時間領域リソースのサイズのセットから選択されたＣＧ時間領域リソースのサイズに関連付けられたインデックス、または、
前記ＣＧ時間領域リソースの絶対サイズの指示のうちの１つである、請求項１５に記載の方法。
【請求項１７】
前記ＣＧリソース構成情報に含まれるＣＧ時間領域リソース割り当て情報は、
前記ＣＧ時間領域リソース内のデータ伝送の多数の開始位置の指示と、
前記ＣＧ時間領域リソース内の多数のブランキング位置の指示、または、
前記ＣＧ時間領域リソースの先頭からのブランキング位置間の時間間隔の指示のうちの１つと
を含み、
前記ブランキング位置の各々には、前記ブランキング位置における前記伝送の開始ポイントの指示、または、
前記ブランキング位置からの多数のブランキングシンボルの指示のうちの１つを含む、請求項１４から１６のいずれか一項に記載の方法。
【請求項１８】
すべての前記ＣＧリソース構成情報は、無線リソース制御（ＲＲＣ）シグナリングにおいて伝送される、請求項１３から１７のいずれか一項に記載の方法。
【請求項１９】
前記ＣＧリソース構成情報は、一部は無線リソース制御（ＲＲＣ）シグナリングにおいて、一部はダウンリンク制御情報（ＤＣＩ）シグナリングにおいて受信される、請求項１３から１７のいずれか一項に記載の方法。
【請求項２０】
前記ＣＧリソース構成情報は、他のＥＤにより実行されるＬＢＴ手順の間、前記ＥＤと前記他のＥＤとの間の相互遮断を緩和するために、前記ＥＤの伝送開始位置の先頭にブランキング位置を揃えるように選択される、請求項１３から１９のいずれか一項に記載の方法。
【請求項２１】
直交周波数インターレースを使用するように構成される前記ＥＤと他のＥＤとの周波数多重化を可能にするために、前記ＥＤの伝送開始位置と他のＥＤの伝送開始位置とを揃えるように前記ＣＧリソース構成情報を選択する段階をさらに備える、請求項１３から２０のいずれか一項に記載の方法。
【請求項２２】
前記基地局が、広帯域キャリア内の複数のサブバンドの識別と、前記非ライセンススペクトルにおける前記ＣＧアップリンク伝送のために構成された１または複数の周波数インターレースとを備える周波数領域リソースの指示を伝送する段階をさらに備える、請求項１２から２１のいずれか一項に記載の方法。
【請求項２３】
前記基地局が、前記基地局によりサービス提供される各ＥＤに対する前記非ライセンススペクトルにおける前記ＣＧアップリンク伝送のための前記複数のサブバンドに対するサブバンドごとに１または複数の周波数インターレースの指示を伝送する段階であって、各ＥＤのために構成されたサブバンドごとの前記１または複数の周波数インターレースは、他のＥＤとは異なる、伝送する段階をさらに備える、請求項２２に記載の方法。
【請求項２４】
プロセッサと、
前記プロセッサにより実行される場合、請求項１から１２のいずれか一項に記載の方法を前記プロセッサに実行させるプロセッサ実行可能命令が格納されているプロセッサ可読ストレージデバイスと
を備える、装置。
【請求項２５】
前記装置は電子デバイス（ＥＤ）である、請求項２４に記載の装置。
【請求項２６】
プロセッサと、
前記プロセッサにより実行される場合、請求項１３から２３のいずれか一項に記載の方法を前記プロセッサに実行させるプロセッサ実行可能命令が格納されているプロセッサ可読ストレージデバイスと
を備える、装置。
【請求項２７】
前記装置は基地局である、請求項２６に記載の装置。
【発明の詳細な説明】
【技術分野】
【０００１】
［関連出願の相互参照］
本願は２０１８年９月２８日に出願された米国仮特許６２／７３９，１０６の優先権に基づく利益を主張しており、当該出願はその全体が参照により本明細書に組み込まれる。
【背景技術】
【０００２】
本開示は、一般的に、無線通信に関し、特定の実施形態においては、非ライセンススペクトルにおける構成されたグラント（ｃｏｎｆｉｇｕｒｅｄ  ｇｒａｎｔ，ＣＧ）のアップリンク伝送に関する。
【０００３】
無線通信システムにおいて、ユーザ機器（ＵＥ）などの電子デバイス（ｅｌｅｃｔｒｏｎｉｃ  ｄｅｖｉｃｅ，ＥＤ）は、「基地局」と称される送受信ポイント（Ｔｒａｎｓｍｉｓｓｉｏｎ  ａｎｄ  Ｒｅｃｅｉｖｅ  Ｐｏｉｎｔ，ＴＲＰ）と無線通信して、ＥＤにデータを送信するおよび／またはＥＤからデータを受信する。ＥＤから基地局への無線通信は、アップリンク通信と称される。基地局からＥＤへの無線通信は、ダウンリンク通信と称される。
【０００４】
アップリンク通信およびダウンリンク通信を実行するために、リソースが必要とされる。例えば、ＥＤは、特定の周波数において、特定のタイムスロットの間、アップリンク伝送で基地局にデータを無線伝送し得る。使用される周波数およびタイムスロットは、物理的通信リソースの例である。
【０００５】
ＬＴＥグラントベースの伝送において、必要とされる伝送制御パラメータは、通常、物理的アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）および／または物理的ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）を介して通信される。基地局は、グラントされたアップリンクリソースを使用してアップリンク伝送を送信するＥＤの識別情報を認識する。これは、基地局が、そのＥＤに対するそれらのアップリンクリソースを具体的にグラントしたからである。構成されたグラントの伝送において、異なるＥＤは、リソースの使用を具体的に要求することなく、且つ基地局によりリソースを具体的にグラントされることなく、ＥＤにより共有されるアップリンクリソースを使用するアップリンク伝送を送信し得る。構成されたグラントの伝送の１つの利点は、基地局からの割り当てられた時間または周波数リソースのためのグラントを要求および受信する必要がないことから発生する低遅延である。さらに、構成されたグラントの伝送では、スケジューリングオーバヘッドが低減され得る。しかしながら、基地局は、特定の瞬間において、どのＥＤ（存在する場合）が、構成されたグラントのアップリンク伝送を送信するかについての情報を有せず、これは、基地局で受信された構成されたグラントの伝送のブラインド検出を要求し得る。換言すると、基地局は、どのＥＤが伝送を行っているかを決定する必要がある。従って、ＢＳは、アップリンク基準シンボル（ｒｅｆｅｒｅｎｃｅ  ｓｙｍｂｏｌｓ，ＲＳ）および占有された時間−周波数リソースの組み合わせを使用して、構成されたグラントのＥＤ、ならびに、構成されたグラントのＥＤから受信されているトランスポートブロックを識別し得る。
【０００６】
いくつかの通信モードは、無線ネットワークの非ライセンススペクトル帯域を介した、または異なるスペクトル帯域（例えば、非ライセンススペクトル帯域および／またはライセンススペクトル帯域）を介したＥＤとの通信を可能にし得る。ライセンススペクトルにおける帯域幅の不足および費用を考慮すると、膨大且つ無料である非ライセンススペクトルを利用して、少なくとも一部の通信トラフィックをオフロードすることは、モバイルブロードバンド（ｍｏｂｉｌｅ  ｂｒｏａｄｂａｎｄ，ＭＢＢ）ネットワークオペレータから関心を集めているアプローチである。例えば、いくつかの場合において、アップリンク伝送は、非ライセンススペクトル帯域を介して伝送され得る。したがって、非ライセンススペクトルにおける構成されたグラントのアップリンク伝送のための効果的かつ公正なメカニズムが望ましい場合がある。
【発明の概要】
【０００７】
本願の一態様によると、無線通信ネットワークにおける電子デバイス（ＥＤ）のための方法であって、当該方法は、基地局から、ＥＤにおいて、非ライセンススペクトルにおけるＣＧアップリンク伝送のためのＥＤを構成するために、構成されたグラント（ＣＧ）リソース構成情報を受信する段階であって、ＣＧリソース構成情報は、ＣＧ時間領域リソースの期間内におけるＣＧ時間領域リソースの持続時間の指示と、ＣＧ時間領域リソースの周期性の指示とを含む、受信する段階と、ＣＧリソース構成情報に従って、非ライセンススペクトルを介してＣＧアップリンク伝送を伝送する段階とを含む、方法が提供される。
【０００８】
いくつかの実施形態において、ＣＧリソース構成情報はさらに、ＣＧ時間領域リソース割り当て情報を含み、時間領域リソース割り当て情報は、リッスン・ビフォア・トーク（ｌｉｓｔｅｎ−ｂｅｆｏｒｅ−ｔａｌｋ，ＬＢＴ）手順が成功すると、ＥＤがＣＧ時間領域リソースの持続時間内にＣＧアップリンク伝送を開始する複数の機会を識別する。
【０００９】
いくつかの実施形態において、ＣＧ時間領域リソースの持続時間の指示は、ＣＧ時間領域リソースを含む期間内のＣＧ時間領域リソースのサイズの指示を備える。
【００１０】
いくつかの実施形態において、ＣＧ時間領域リソースのサイズの指示は、ＣＧ時間領域リソースのサイズのセットから選択されたＣＧ時間領域リソースのサイズに関連付けられたインデックス、または、ＣＧ時間領域リソースの絶対サイズの指示のうちの１つである。
【００１１】
いくつかの実施形態において、ＣＧ時間領域リソース割り当て情報は、ＣＧ時間領域リソース内の伝送の多数の開始位置の指示と、ＣＧ時間領域リソース内の多数のブランキング位置の指示、または、ＣＧ時間領域リソースの先頭からのブランキング位置間の時間間隔の指示のうちの１つと、を含み、ブランキング位置の各々には、ブランキング位置における伝送の開始ポイントの指示、または、ブランキング位置からの多数のブランキングシンボルの指示のうちの１つを含む。
【００１２】
いくつかの実施形態において、すべてのＣＧリソース構成情報は、無線リソース制御（ｒａｄｉｏ  ｒｅｓｏｕｒｃｅ  ｃｏｎｔｒｏｌ，ＲＲＣ）シグナリングにおいて受信される。
【００１３】
いくつかの実施形態において、ＣＧリソース構成情報は、一部は無線リソース制御（ＲＲＣ）シグナリングにおいて、一部はダウンリンク制御情報（ｄｏｗｎｌｉｎｋ  ｃｏｎｔｒｏｌ  ｉｎｆｏｒｍａｔｉｏｎ，ＤＣＩ）シグナリングにおいて受信される。
【００１４】
いくつかの実施形態において、ＣＧ時間領域リソースの持続時間の指示と、ＣＧ時間領域リソースの周期性の指示は、無線リソース制御（ＲＲＣ）シグナリングにおいて受信され、時間領域リソース割り当て情報は、ダウンリンク制御情報（ＤＣＩ）シグナリングにおいて受信される。
【００１５】
いくつかの実施形態において、ＣＧリソース構成情報は、他のＥＤにより実行されるＬＢＴ手順の間、ＥＤと他のＥＤとの間の相互遮断を緩和するために、ＥＤの伝送開始位置の先頭にブランキング位置を揃えるように選択される。
【００１６】
いくつかの実施形態において、方法はさらに、直交周波数インターレースを使用するように構成されるＥＤと他のＥＤとの周波数多重化を可能にするために、ＥＤの伝送開始位置と他のＥＤの伝送開始位置とを揃えるようにＣＧリソース構成情報を選択する段階を含む。
【００１７】
いくつかの実施形態において、方法はさらに、ＥＤが、広帯域キャリア内の複数のサブバンドの識別と、非ライセンススペクトルにおけるＣＧアップリンク伝送のために構成された１または複数の周波数インターレースとを備える周波数領域リソースの指示を受信する段階と、ＥＤが、複数のサブバンドのうちの少なくとも１つに対してＬＢＴ手順を実行する段階とを含む。
【００１８】
いくつかの実施形態において、複数のサブバンドにおけるサブバンドの数は、伝送のトラフィックタイプ、または伝送の伝送ブロック（ｔｒａｎｓｍｉｓｓｉｏｎ  ｂｌｏｃｋ，ＴＢ）サイズのうちの１つに基づく。
【００１９】
いくつかの実施形態において、方法はさらに、ＥＤが、非ライセンススペクトルにおけるＣＧアップリンク伝送のための複数のサブバンドに対するサブバンドごとに１または複数の周波数インターレースの指示を受信する段階であって、ＥＤのために構成されたサブバンドごとの１または複数の周波数インターレースは、基地局がサービスを提供する他のＥＤのために構成されたサブバンドごとの１または複数の周波数インターレースとは異なる、受信する段階を含む。
【００２０】
本願の一態様によると、無線通信ネットワークにおける基地局のための方法であって、当該方法は、基地局が、非ライセンススペクトルにおけるＣＧアップリンク伝送のためのＥＤを構成するために、構成されたグラント（ＣＧ）リソース構成情報を電子デバイス（ＥＤ）に伝送する段階であって、ＣＧリソース構成情報は、ＣＧ時間領域リソースの期間内におけるＣＧ時間領域リソースの持続時間の指示と、ＣＧ時間領域リソースの周期性の指示とを含む、伝送する段階と、ＣＧリソース構成情報に従って、非ライセンススペクトルを介してＣＧアップリンク伝送を受信する段階とを含む、方法が提供される。
【００２１】
いくつかの実施形態において、ＣＧリソース構成情報はさらに、時間領域リソース割り当て情報を含み、時間領域リソース割り当て情報は、リッスン・ビフォア・トーク（ＬＢＴ）手順が成功すると、ＵＥがＣＧ時間領域リソースの持続時間内にＣＧアップリンク伝送を開始する複数の機会を識別する。
【００２２】
いくつかの実施形態において、ＣＧ時間領域リソースの持続時間の指示は、ＣＧ時間領域リソースを含む期間内のＣＧ時間領域リソースのサイズの指示を含む。
【００２３】
いくつかの実施形態において、ＣＧ時間領域リソースのサイズの指示は、ＣＧ時間領域リソースのサイズのセットから選択されたＣＧ時間領域リソースのサイズに関連付けられたインデックス、または、ＣＧ時間領域リソースの絶対サイズの指示のうちの１つである。
【００２４】
いくつかの実施形態において、時間領域リソース割り当て情報は、ＣＧ時間領域リソース内のデータ伝送の多数の開始位置の指示と、ＣＧ時間領域リソース内の多数のブランキング位置の指示、または、ＣＧ時間領域リソースの先頭からのブランキング位置間の時間間隔の指示のうちの１つと、を含み、ブランキング位置の各々には、ブランキング位置における伝送の開始ポイントの指示、または、ブランキング位置からの多数のブランキングシンボルの指示のうちの１つを含む。
【００２５】
いくつかの実施形態において、すべてのＣＧリソース構成情報は、無線リソース制御（ＲＲＣ）シグナリングにおいて伝送される。
【００２６】
いくつかの実施形態において、ＣＧリソース構成情報は、一部は無線リソース制御（ＲＲＣ）シグナリングにおいて、一部はダウンリンク制御情報（ＤＣＩ）シグナリングにおいて受信される。
【００２７】
いくつかの実施形態において、ＣＧ時間領域リソースの持続時間の指示と、ＣＧ時間領域リソースの周期性の指示は、無線リソース制御（ＲＲＣ）シグナリングにおいて伝送され、時間領域リソース割り当て情報は、ダウンリンク制御情報（ＤＣＩ）シグナリングにおいて受信される。
【００２８】
いくつかの実施形態において、ＣＧリソース構成情報は、他のＥＤにより実行されるＬＢＴ手順の間、ＥＤと他のＥＤとの間の相互遮断を緩和するために、ＥＤの伝送開始位置の先頭にブランキング位置を揃えるように選択される。
【００２９】
いくつかの実施形態において、方法はさらに、直交周波数インターレースを使用するように構成されるＥＤと他のＥＤとの周波数多重化を可能にするために、ＥＤの伝送開始位置と他のＥＤの伝送開始位置とを揃えるようにＣＧリソース構成情報を選択する段階を含む。
【００３０】
いくつかの実施形態において、方法はさらに、基地局が、広帯域キャリア内の複数のサブバンドの識別と、非ライセンススペクトルにおけるＣＧアップリンク伝送のために構成された１または複数の周波数インターレースとを含む周波数領域リソースの指示を伝送する段階を含む。
【００３１】
いくつかの実施形態において、方法はさらに、基地局が、基地局によりサービス提供される各ＥＤに対する非ライセンススペクトルにおけるＣＧアップリンク伝送のための複数のサブバンドに対するサブバンドごとに１または複数の周波数インターレースの指示を伝送する段階であって、各ＥＤのために構成されたサブバンドごとの１または複数の周波数インターレースは、他のＥＤとは異なる、伝送する段階を含む。
【００３２】
本願の一態様によると、無線通信ネットワークにおける電子デバイス（ＥＤ）のための方法であって、当該方法は、ＥＤが、非ライセンススペクトルにおけるＣＧアップリンク伝送のための基地局を構成するために、構成されたグラント（ＣＧ）リソース構成情報を伝送する段階であって、ＣＧリソース構成情報は、伝送される各物理アップリンク共有チャネル（ｐｈｙｓｉｃａｌ  ｕｐｌｉｎｋ  ｓｈａｒｅｄ  ｃｈａｎｎｅｌ，ＰＵＳＣＨ）に、ＰＵＳＣＨ開始ポイントの指示と、ＰＵＳＣＨ終了ポイントの指示とを含むアップリンク制御情報（ｕｐｌｉｎｋ  ｃｏｎｔｒｏｌ  ｉｎｆｏｒｍａｔｉｏｎ，ＵＣＩ）を含む、伝送する段階を含む、方法が提供される。
【００３３】
いくつかの実施形態において、ＰＵＳＣＨ開始ポイントの指示は、１または複数の直交周波数領域多重（ｏｒｔｈｏｇｏｎａｌ  ｆｒｅｑｕｅｎｃｙ  ｄｏｍａｉｎ  ｍｕｌｔｉｐｌｅｘｅｄ，ＯＦＤＭ）シンボルであるＰＵＳＣＨ開始ポイントの指示と、サブキャリア間隔構成に基づく多数のＯＦＤＭシンボルに対する固定マッピングであるＰＵＳＣＨ開始ポイントの指示とのうちの少なくとも１つを備える。
【００３４】
いくつかの実施形態において、方法はさらに、予め構成されたブランキングシンボルの位置が、最後のスロット境界の終端からＰＵＳＣＨ開始ポイントに先行するシンボル位置、または、次のスロット境界の開始ポイントまでのＰＵＳＣＨ終了ポイントに続くシンボル位置と重複する場合、ＵＥが、予め構成されたブランキングシンボルに続くシンボル位置になるＰＵＳＣＨ開始ポイントと、次のスロットまたは次の予め構成されたブランキングシンボルの開始より前のシンボル位置になるＰＵＳＣＨ終了ポイントとを選択する段階を含む。
【００３５】
本願の一態様によると、無線通信ネットワークにおける方法であって、当該方法は、基地局が、電子デバイス（ＥＤ）から、非ライセンススペクトルにおけるＣＧアップリンク伝送のための基地局を構成するために、構成されたグラント（ＣＧ）リソース構成情報を受信する段階であって、ＣＧリソース構成情報は、伝送される各物理アップリンク共有チャネル（ＰＵＳＣＨ）に、ＰＵＳＣＨ開始ポイントの指示と、ＰＵＳＣＨ終了ポイントの指示とを含むアップリンク制御情報（ＵＣＩ）を備える、受信する段階を含む、方法が提供される。
【００３６】
いくつかの実施形態において、ＰＵＳＣＨ開始ポイントの指示は、１または複数の直交周波数領域多重（ＯＦＤＭ）シンボルであるＰＵＳＣＨ開始ポイントの指示と、サブキャリア間隔構成に基づく多数のＯＦＤＭシンボルに対する固定マッピングであるＰＵＳＣＨ開始ポイントの指示とのうちの少なくとも１つを備える。
【００３７】
いくつかの実施形態において、方法はさらに、選択されたＰＵＳＣＨ開始ポイントおよび選択されたＰＵＳＣＨ終了ポイントの指示を受信する段階であって、ＰＵＳＣＨ開始ポイントは、予め構成されたブランキングシンボルに続くシンボル位置であり、ＰＵＳＣＨ終了ポイントは、次のスロットまたは次の予め構成されたブランキングシンボルの開始より前のシンボル位置である、受信する段階を含む。
【００３８】
予め構成されたブランキングシンボルの位置が、最後のスロット境界の終端からＰＵＳＣＨ開始ポイントに先行するシンボル位置、または、次のスロット境界の開始ポイントまでのＰＵＳＣＨ開始ポイントに続くシンボル位置と重複する場合、予め構成されたブランキングは、ＰＵＳＣＨの開始位置および終了位置のＵＥ−選択をオーバーライドする（またはそれにより実現され得る）。
【図面の簡単な説明】
【００３９】
本開示の実施形態は、添付の図面を参照してより詳細に説明される。
【００４０】
【図１】通信システムの概略図である。
【００４１】
【図２Ａ】例示的なＥＤのブロック図である。
【図２Ｂ】例示的な基地局のブロック図である。
【００４２】
【図３】本願の実施形態に係る、非ライセンススペクトルにおいて構成されたグラントのための伝送リソースを各々が有する、時間領域リソースの２つの連続した期間の例示的な概略図である。
【００４３】
【図４】本願の実施形態に係る、非ライセンススペクトルにおいて構成されたグラントのための伝送リソースを有する、時間領域リソースの単一期間の例示的な概略図である。
【００４４】
【図５】本願の実施形態に係る、非ライセンススペクトルにおいて構成されたグラントのための伝送リソースを各々が有する、２つのユーザ機器（ＵＥ）の各々についての時間領域リソースの単一期間の例示的な概略図である。
【００４５】
【図６】本願の実施形態に係る、アップリンク制御情報と対応する物理アップリンク共有チャネルとが伝送される、非ライセンススペクトルにおいて構成されたグラントのための伝送リソースを有する時間領域リソースの単一期間の例示的な概略図である。
【００４６】
【図７】本開示の実施形態に係るＥＤにおける例示的な動作のフロー図である。
【００４７】
【図８】本開示の実施形態に係る基地局の例示的な動作のフロー図である。
【００４８】
【図９】本開示の実施形態に係るＥＤにおける例示的な動作のフロー図である。
【発明を実施するための形態】
【００４９】
ここで、例示を目的として、具体的な例示的な実施形態が、複数の図と共に以下でより詳細に説明される。
【００５０】
本明細書において説明される実施形態は、クレームされた主題を実施するのに十分な情報を表し、そのような主題を実施する方法を示す。添付の図を考慮して以下の説明を解釈すると、当業者は、クレームされた主題の概念を理解し、これらの概念の適用が本明細書で具体的には対処されていないことを認識する。これらの概念および適用は、本開示および添付の請求項の範囲に含まれることを理解されたい。
【００５１】
さらに、本明細書に開示される、命令を実行する任意のモジュール、コンポーネントまたはデバイスは、コンピュータ／プロセッサ可読命令、データ構造、プログラムモジュールおよび／または他のデータなどの情報を記憶するための非一時的コンピュータ／プロセッサ可読記憶媒体または複数の媒体を含んでよい、または、そうでない場合、それらへのアクセスを有してよいことが理解されよう。非一時的コンピュータ／プロセッサ可読記憶媒体の非包括的な一連の例は、磁気カセット、磁気テープ、磁気ディスクストレージ、または他の磁気ストレージデバイス、コンパクトディスクリードオンリメモリ（ＣＤ−ＲＯＭ）、デジタルビデオディスクまたはデジタル多用途ディスク（すなわち、ＤＶＤ）、Ｂｌｕ−ｒａｙ（登録商標）ディスクなどの光ディスク、または他の光ストレージ、任意の方法または技術において実装される揮発性媒体および不揮発性媒体、リムーバブル媒体および非リムーバブル媒体、ランダムアクセスメモリ（ＲＡＭ）、リードオンリメモリ（ＲＯＭ）、電気的に消去可能なプログラマブルリードオンリメモリ（ＥＥＰＲＯＭ）、フラッシュメモリ、または他のメモリ技術を含む。任意のそのような非一時的コンピュータ／プロセッサ記憶媒体は、デバイスの一部であってもよく、または、デバイスにアクセス可能または接続可能であってもよい。本明細書に説明された適用またはモジュールを実装するためのコンピュータ／プロセッサ可読／実行可能命令は、そのような非一時的コンピュータ／プロセッサ可読記憶媒体に格納されてもよく、または、そうでない場合、それにより保持されてもよい。
【００５２】
本開示の態様は、無線ネットワークの非ライセンススペクトルにおけるアップリンク伝送のための構成されたグラントの伝送モードを提供する。本開示において、構成されたグラントの伝送は、グラントベースのシグナリングを通信することなく実行される伝送を指す。構成されたグラントのアップリンク伝送は、バースト伝送であり得る。伝送は、限定されるものではないが、１または複数の物理アップリンク共有チャネル（ＰＵＳＣＨ）、ＰＵＳＣＨ上のアップリンク制御情報（ＵＣＩ）、または、復調基準信号（ｄｅｍｏｄｕｌａｔｉｏｎ  ｒｅｆｅｒｅｎｃｅ  ｓｉｇｎａｌ，ＤＭ−ＲＳ）を含み得る。
【００５３】
図を参照すると、いくつかの具体的な例示的な実施形態が説明される。
［通信システム］
【００５４】
図１は、本開示の実施形態が実装され得る例示的な通信システム１００を示す。一般に、通信システム１００は、複数の無線または有線エレメントがデータおよび他のコンテンツを通信することを可能にする。通信システム１００の目的は、ブロードキャスト、マルチキャスト、ユニキャスト、ユーザデバイス間の通信等を介して、コンテンツ（音声、データ、ビデオ、テキスト）を提供することであり得る。通信システム１００は、帯域幅などのリソースを共有することにより動作し得る。
【００５５】
この例において、通信システム１００は、電子デバイス（ＥＤ）１１０ａ−１１０ｃ、無線アクセスネットワーク（ＲＡＮ）１２０ａ−１２０ｂ、コアネットワーク１３０、公衆交換電話網（ＰＳＴＮ）１４０、インターネット１５０、および他のネットワーク１６０を含む。特定の数のこれらのコンポーネントまたはエレメントが図１に示されているが、任意の妥当な数のこれらのコンポーネントまたはエレメントが、通信システム１００に含まれ得る。
【００５６】
ＥＤ１１０ａ−１１０ｃは、通信システム１００において、動作、通信、または両方を行うように構成される。例えば、ＥＤ１１０ａ−１１０ｃは、無線または有線通信チャネルを介して、送信、受信、または両方を行うように構成される。各ＥＤ１１０ａ−１１０ｃは、無線動作のための任意の適切なエンドユーザデバイスを表し、ユーザ機器／デバイス（ＵＥ）、無線送信／受信ユニット（ＷＴＲＵ）、移動局、固定またはモバイル式の加入者ユニット、携帯電話、局（ＳＴＡ）、マシンタイプ通信（ＭＴＣ）デバイス、パーソナルデジタルアシスタント（ＰＤＡ）、スマートフォン、ラップトップ、コンピュータ、タブレット、無線センサ、または消費者電子デバイスとして（または、そのように称され得る）そのようなデバイスを含み得る。
【００５７】
図１において、ＲＡＮ１２０ａ−１２０ｂは、基地局１７０ａ−１７０ｂをそれぞれ含む。各基地局１７０ａ−１７０ｂは、１または複数のＥＤ１１０ａ−１１０ｃと無線でインタフェース接続して、任意の他の基地局１７０ａ−１７０ｂ、コアネットワーク１３０、ＰＳＴＮ１４０、インターネット１５０、および／または他のネットワーク１６０へのアクセスを可能にするように構成される。例えば、基地局１７０ａ−１７０ｂは、ベーストランシーバ基地局（ＢＴＳ）、ノードＢ（ＮｏｄｅＢ）、進化型ＮｏｄｅＢ（ｅＮｏｄｅＢ）、ホームｅＮｏｄｅＢ、ｇＮｏｄｅＢ、送受信ポイント（ＴＲＰ）、サイトコントローラ、アクセスポイント（ＡＰ）、または無線ルータなどの１または複数のいくつかの周知のデバイスを含み得る（またはそれらであり得る）。任意のＥＤ１１０ａ−１１０ｃは、代替的にまたは追加的に、任意の他の基地局１７０ａ−１７０ｂ、インターネット１５０、コアネットワーク１３０、ＰＳＴＮ１４０、他のネットワーク１６０または上述の任意の組み合わせとインタフェース接続し、アクセスし、または通信するように構成されてよい。通信システム１００は、ＲＡＮ１２０ｂなどのＲＡＮを含んでよく、対応する基地局１７０ｂは、示されるように、インターネット１５０を介してコアネットワーク１３０にアクセスする。
【００５８】
ＥＤ１１０ａ−１１０ｃおよび基地局１７０ａ−１７０ｂは、本明細書に説明される機能および／または実施形態の一部または全部を実装するように構成され得る通信機器の例である。図１に示される実施形態において、基地局１７０ａは、ＲＡＮ１２０ａの一部を形成する。ＲＡＮ１２０ａは、他の基地局、基地局コントローラ（ＢＳＣ）、無線ネットワークコントローラ（ＲＮＣ）、中継ノード、エレメント、および／またはデバイスを含み得る。任意の基地局１７０ａ、１７０ｂは、示されるように、単一のエレメントであってもよく、または対応するＲＡＮで分散された複数のエレメントであってもよく、またはその他であってもよい。また、基地局１７０ｂは、ＲＡＮ１２０ｂの一部を形成する。ＲＡＮ１２０ｂは、他の基地局、エレメントおよび／またはデバイスを含んでよい。各基地局１７０ａ−１７０ｂは、場合により「セル」または「カバレッジエリア」と称される、特定の地理的な領域またはエリア内で無線信号を送信および／または受信する。セルはさらに、セルセクタに分割され得、基地局１７０ａ−１７０ｂは、例えば、複数の送受信機を利用して、複数のセクタにサービスを提供し得る。いくつかの実施形態において、無線アクセス技術がサポートをするピコまたはフェムトセルが確立され得る。いくつかの実施形態において、複数の送受信機は、例えば、多入力多出力（ＭＩＭＯ）技術を使用して、各セルに使用され得る。示されたＲＡＮ１２０ａ−１２０ｂの数は、単なる例である。通信システム１００を考案するにあたって、任意の数のＲＡＮが想定され得る。
【００５９】
基地局１７０ａ−１７０ｂは、無線通信リンク、例えば、無線周波数（ＲＦ）、マイクロ波、赤外線（ＩＲ）等を使用して、１または複数のエアインタフェース１９０を介して、１または複数のＥＤ１１０ａ−１１０ｃと通信する。エアインタフェース１９０は、任意の適切な無線アクセス技術を利用してよい。例えば、通信システム１００は、符号分割多元接続（ＣＤＭＡ）、時分割多元接続（ＴＤＭＡ）、周波数分割多重アクセス（ＦＤＭＡ）、直交ＦＤＭＡ（ＯＦＤＭＡ）、または単一キャリアＦＤＭＡ（ＳＣ−ＦＤＭＡ）などの１または複数の直交または非直交のチャネルアクセス方法を、エアインタフェース１９０において実装し得る。
【００６０】
基地局１７０ａ−１７０ｂは、ユニバーサル移動体通信システム（ＵＭＴＳ）地上無線アクセス（ＵＴＲＡ）を実装して、広帯域ＣＤＭＡ（ＷＣＤＭＡ（登録商標））を使用するエアインタフェース１９０を確立し得る。その際に、基地局１７０ａ−１７０ｂは、高速パケットアクセス（ＨＳＰＡ）を実装してよく、高速ダウンリンクパケットアクセス（ＨＳＤＰＡ）、高速アップリンクパケットアクセス（ＨＳＵＰＡ）、または両方を任意選択的に含む進化型ＨＳＰＡ（ＨＳＰＡ＋）などのプロトコルを実装してよい。代替的に、基地局１７０ａ−１７０ｂは、ＬＴＥ、ＬＴＥ−Ａ、および／またはＬＴＥ−Ｂを使用する進化型ＵＴＭＳ地上無線アクセス（Ｅ−ＵＴＲＡ）を用いてエアインタフェース１９０を確立してよい。通信システム１００が、上述のように、そのような方式を含む複数のチャネルアクセス機能を使用し得ることが想定される。エアインタフェースを実装する他の無線技術は、ＩＥＥＥ８０２．１１、８０２．１５、８０２．１６、ＣＤＭＡ２０００、ＣＤＭＡ２０００  １Ｘ、ＣＤＭＡ２０００  ＥＶ−ＤＯ、ＩＳ−２０００、ＩＳ−９５、ＩＳ−８５６、ＧＳＭ（登録商標）、ＥＤＧＥおよびＧＥＲＡＮを含む。もちろん、他の多元接続方式および無線プロトコルが利用されてもよい。
【００６１】
ＲＡＮ１２０ａ−１２０ｂは、コアネットワーク１３０と通信して、音声、データおよび他のサービスなどの様々なサービスをＥＤ１１０ａ−１１０ｃに提供する。ＲＡＮ１２０ａ−１２０ｂおよび／またはコアネットワーク１３０は、１または複数の他のＲＡＮ（図示せず）と直接的または間接的に通信し得る。１または複数の他のＲＡＮは、コアネットワーク１３０により直接的にサービス提供されてもされなくてもよく、ＲＡＮ１２０ａ、ＲＡＮ１２０ｂまたはその両方と同じ無線アクセス技術を利用してもしなくてもよい。コアネットワーク１３０はまた、（ｉ）ＲＡＮ１２０ａ−１２０ｂまたはＥＤ１１０ａ−１１０ｃまたはその両方と、（ｉｉ）他のネットワーク（ＰＳＴＮ１４０、インターネット１５０および他のネットワーク１６０など）との間のゲートウェイアクセスとしてサービス提供してもよい。加えて、ＥＤ１１０ａ−１１０ｃの一部または全部は、異なる無線技術および／またはプロトコルを使用する異なる無線リンクを介して、異なる無線ネットワークと通信する機能を含んでよい。無線通信の代わりに（またはこれに加えて）、ＥＤは、有線通信チャネルを介して、サービスプロバイダまたはスイッチ（図示せず）と、そしてインターネット１５０と通信してよい。ＰＳＴＮ１４０は、基本電話サービス（ＰＯＴＳ）を提供するための回線交換電話網を含んでよい。インターネット１５０は、コンピュータおよびサブネット（イントラネット）のネットワーク、またはその両方を含み、インターネットプロトコル（ＩＰ）、伝送制御プロトコル（ＴＣＰ）およびユーザデータグラムプロトコル（ＵＤＰ）などのプロトコルを組み込んでよい。ＥＤ１１０ａ−１１０ｃは、複数の無線アクセス技術に従って動作可能なマルチモードデバイスであってよく、そのようなものをサポートするために必要な複数の送受信機を組み込んでよい。
【００６２】
図２Ａおよび図２Ｂは、本開示による方法および教示を実装し得る例示的なデバイスを示す。具体的に、図２Ａは例示的なＥＤ１１０を示し、図２Ｂは例示的な基地局１７０を示す。これらのコンポーネントは、通信システム１００または任意の他の適切なシステムにおいて使用され得る。
【００６３】
図２Ａに示されるように、ＥＤ１１０は、少なくとも１つの処理ユニット１４００を含む。処理ユニット２００は、ＥＤ１１０の様々な処理動作を実装する。例えば、処理ユニット２００は、信号の符号化、データ処理、電力制御、入出力処理、または任意の他の機能を実行して、ＥＤ１１０が通信システム１００において動作することを可能にし得る。処理ユニット２００はまた、上記でより詳細に説明されている機能および／または実施形態の一部または全部を実装するように構成されてよい。各処理ユニット２００は、１または複数の動作を実行するように構成された任意の適切な処理デバイスまたはコンピューティングデバイスを含む。各処理ユニット２００は、例えば、マイクロプロセッサ、マイクロコントローラ、デジタル信号プロセッサ、フィールドプログラマブルゲートアレイ、または特定用途向け集積回路を含み得る。
【００６４】
ＥＤ１１０はまた、少なくとも１つの送受信機２０２を含む。送受信機２０２は、少なくとも１つのアンテナまたはネットワークインタフェースコントローラ（ＮＩＣ）２０４による伝送のためのデータまたは他のコンテンツを変調するように構成される。送受信機２０２はまた、少なくとも１つのアンテナ２０４により受信されたデータまたは他のコンテンツを復調するように構成される。各送受信機２０２は、無線または有線伝送のための信号を生成するための、および／または、無線でまたは有線で受信された信号を処理するための任意の適切な構造を含む。各アンテナ２０４は、無線または有線信号を送信および／または受信するための任意の適切な構造を含む。１つまたは複数の送受信機２０２が、ＥＤ１１０において使用され得る。１つまたは複数のアンテナ２０４が、ＥＤ１１０において使用され得る。単一の機能ユニットとして示されているが、送受信機２０２はまた、少なくとも１つの送信機と、少なくとも１つの別個の受信機とを使用して実装され得る。
【００６５】
ＥＤ１１０はさらに、１または複数の入出力デバイス２０６またはインタフェース（インターネット１５０への有線インタフェースなど）を含む。入出力デバイス２０６は、ユーザまたはネットワーク内の他のデバイスとのインタラクションを可能にする。各入出力デバイス２０６は、ユーザに情報を提供するまたはユーザから情報を受信するための任意の適切な構造、例えば、スピーカ、マイク、キーパッド、キーボード、ディスプレイ、またはタッチスクリーンなどを含み、当該構造はネットワークインタフェース通信を含む。
【００６６】
加えて、ＥＤ１１０は、少なくとも１つのメモリ２０８を含む。メモリ２０８は、ＥＤ１１０により使用され、生成され、または収集される命令およびデータを格納する。例えば、メモリ２０８は、上述された機能および／または実施形態の一部または全部を実装するように構成され、処理ユニット２００により実行されるソフトウェア命令またはモジュールを格納し得る。各メモリ２０８は、任意の適切な揮発性および／または不揮発性ストレージおよび検索デバイスを含む。ランダムアクセスメモリ（ＲＡＭ）、リードオンリメモリ（ＲＯＭ）、ハードディスク、光ディスク、加入者識別モジュール（ＳＩＭ）カード、メモリスティック、およびセキュアデジタル（ＳＤ）メモリカードなどといった任意の適切なタイプのメモリが使用され得る。
【００６７】
図２Ｂに示されるように、基地局１７０は、少なくとも１つの処理ユニット２５０、少なくとも１つの送信機２５２、少なくとも１つの受信機２５４、１または複数のアンテナ２５６、少なくとも１つのメモリ２５８、および１または複数の入出力デバイスまたはインタフェース２６６を含む。図示されていないが、送信機２５２および受信機２５４の代わりに、送受信機が使用され得る。スケジューラ２５３は、処理ユニット２５０に連結され得る。スケジューラ２５３は、基地局１７０内に含まれてもよく、または、基地局１７０とは別個に操作されてもよい。処理ユニット２５０は、信号の符号化、データ処理、電力制御、入出力処理、または任意の他の機能などの、基地局１７０の様々な処理動作を実装する。処理ユニット２５０はまた、上記でより詳細に説明されている機能および／または実施形態の一部または全部を実装するように構成され得る。各処理ユニット２５０は、１または複数の動作を実行するように構成された任意の適切な処理デバイスまたはコンピューティングデバイスを含む。各処理ユニット２５０は、例えば、マイクロプロセッサ、マイクロコントローラ、デジタル信号プロセッサ、フィールドプログラマブルゲートアレイ、または特定用途向け集積回路を含み得る。
【００６８】
各送信機２５２は、１または複数のＥＤまたは他のデバイスへの無線または有線伝送に用いる信号を生成するための任意の適切な構造を含む。各受信機２５４は、１または複数のＥＤまたは他のデバイスから無線でまたは有線で受信された信号を処理するための任意の適切な構造を含む。別個のコンポーネントとして示されているが、少なくとも１つの送信機２５２および少なくとも１つの受信機２５４は、送受信機に組み合わされ得る。各アンテナ２５６は、無線または有線信号を送信および／または受信するための任意の適切な構造を含む。ここでは、共通のアンテナ２５６が、送信機２５２および受信機２５４の両方に連結されているものとして示されているが、１または複数のアンテナ２５６は、送信機２５２に連結され得、１または複数の別個のアンテナ２５６は、受信機２５４に連結され得る。各メモリ２５８は、ＥＤ１１０に関連して上述されたものなどの任意の適切な揮発性および／または不揮発性ストレージおよび検索デバイスを含む。メモリ２５８は、基地局１７０により使用され、生成され、または収集される命令およびデータを格納する。例えば、メモリ２５８は、上述された機能および／または実施形態の一部または全部を実装するように構成され、処理ユニット２５０により実行されるソフトウェア命令またはモジュールを格納し得る。
【００６９】
各入出力デバイス２６６は、ユーザまたはネットワーク内の他のデバイスとのインタラクションを可能にする。各入出力デバイス２６６は、ネットワークインタフェース通信を含む、ユーザに情報を提供するための、または、ユーザからの情報を受信／提供するための任意の適切な構造を含む。
［構成されたグラントの伝送］
【００７０】
基地局１７０は、各々が構成されたグラントのアップリンク伝送を送信し得るＥＤ１１０との無線通信をサポートするように構成される。ＥＤ１１０からのアップリンク伝送は、一組の時間−周波数リソースで実行される。構成されたグラントのアップリンク伝送は、基地局１７０が要求／グラントメカニズムにリソースを動的に割り当てることなく、アップリンクリソースを使用して送信されるアップリンク伝送である。構成されたグラントの伝送を実行することにより、合計ネットワークオーバヘッドリソースが節約され得る。さらに、要求／許可の手順をバイパスすることにより、時間の節約が提供され得る。構成されたグラントのアップリンク伝送を送信するＥＤ、または構成されたグラントのアップリンク伝送を送信するように構成されたＥＤは、構成されたグラントモードで動作すると呼ばれ得る。構成されたグラントのアップリンク伝送は、場合により、「グラントフリー」、「グラントレス」、「スケジュールフリー」、または「スケジュールレス」伝送と呼ばれる。異なるＥＤからの構成されたグラントのアップリンク伝送は、共有された指定されたリソースユニットを使用して伝送され得、この場合、構成されたグラントのアップリンク伝送は、競合ベースの伝送である。１または複数の基地局１７０は、構成されたグラントのアップリンク伝送のブラインド検出を実行し得る。
【００７１】
一実施形態に係る無線ネットワークにおいて、任意のＥＤは、例えば、アプリケーションおよびデバイスのタイプおよび要件に応じて、グラントベースまたは構成されたグラントの伝送のために構成され得る。通常、構成されたグラントの伝送は、ＥＤ接続のセットアップにおいてリソースの（事前）構成を要求し、動作中に、リソースの再構成または更新を行い得る。いくつかの実施形態において、構成されたグラントのリソースは、ＵＥ固有のシグナリングにより、または、いくつかのシナリオではブロードキャストまたはマルチキャストシグナリングにより、ＥＤのために構成され得る。２またはそれより多い構成されたグラントの伝送は、同じ構成されたリソースを共有し得る。さらに、いくつかの実施形態において、グラントベースの伝送は、専用リソースを使用し得、または、時間間隔において、構成されたグラントのリソースと（完全にまたは部分的に）リソースを共有し得る。
【００７２】
構成されたグラントおよびグラントベースの伝送のいずれかは、関連アプリケーションの要件およびサービス品質（ｑｕａｌｉｔｙ  ｏｆ  ｓｅｒｖｉｃｅ，ＱｏＳ）に応じて、任意のアプリケーショントラフィックまたはサービスタイプに使用され得る。非限定的な例として、構成されたグラントの伝送は、低遅延要件を満たす超高信頼低遅延通信（ｕｌｔｒａ−ｒｅｌｉａｂｌｅ  ｌｏｗ  ｌａｔｅｎｃｙ  ｃｏｍｍｕｎｉｃａｔｉｏｎ，ＵＲＬＬＣ）トラフィック、シグナリングオーバヘッドを節約する短いパケットを有する進歩したモバイルブロードバンド（ｅｎｈａｎｃｅｄ  ｍｏｂｉｌｅ  ｂｒｏａｄｂａｎｄ，ｅＭＢＢ）トラフィック、および、リンクアダプテーションの利点を動的に利用し、リソース利用率とスペクトル効率とを向上させるｅＭＢＢトラフィックに使用され得る。本願は、具体的に、非ライセンススペクトルにおいて構成されたグラントを使用し、スケジューリングされたアップリンク手順のリッスン・ビフォア・トーク（ＬＢＴ）オーバヘッドおよび潜在的なＬＢＴ障害を克服することに関する。本願の態様は、過剰な遅延を緩和し得、スペクトル効率を向上させ得る。
【００７３】
１つのＥＤまたはＥＤのグループは、同じパラメータまたはリソース構成を共有するための、グループＩＤまたは無線ネットワーク一時ＩＤ（Ｒａｄｉｏ  Ｎｅｔｗｏｒｋ  Ｔｅｍｐｏｒａｒｙ  ＩＤ，ＲＮＴＩ；例えば、構成されたグラント（ＣＧ）ＲＮＴＩまたはグラントベース（ｇｒａｎｔ−ｂａｓｅｄ，ＧＢ）ＲＮＴＩ）を有し得る。グループＩＤは、予め構成され得、または、各ＥＤに対して動的に構成され得る。グループＩＤを有するＥＤに対するパラメータまたはリソース構成は、半静的または動的シグナリングにより実行され得る。いくつかの実施形態において、グループＩＤは、例えば、グループにおけるＥＤに対するリソースの非アクティブ化またはアクティブ化に使用され得る。いくつかの実施形態において、新無線の構成されたグラント（Ｎｅｗ  Ｒａｄｉｏ  Ｃｏｎｆｉｇｕｒｅｄ  Ｇｒａｎｔ，ＮＲ  ＣＧ）およびさらに進歩したライセンス補助アクセス（Ｆｕｒｔｈｅｒ  Ｅｎｈａｎｃｅｄ  Ｌｉｃｅｎｓｅｄ−Ａｓｓｉｓｔｅｄ  Ａｃｃｅｓｓ，ＦｅＬＡＡ）の自律的なアップリンク（ａｕｔｏｎｏｍｏｕｓ  ｕｐｌｉｎｋ，ＡＵＬ）の場合、アクティブ化および非アクティブ化は、ＵＥ固有のダウンリンク制御情報（ＤＣＩ）によって実行され得る。非限定的な例として、アクティブ化または非アクティブ化されているリソースは、グループ内の各ＥＤに関連付けられた周波数、時間、および参照信号（ｒｅｆｅｒｅｎｃｅ  ｓｉｇｎａｌ，ＲＳ）を含み得る。
【００７４】
構成されたグラントの伝送は、グラントベースの伝送のスケジューリング要求／許可の手順に関連付けられた遅延および制御オーバヘッドをなくし、より多くの伝送の反復を可能にして、検出が成功する可能性を高め得るまたは望ましい信頼性を実現し得る。
【００７５】
前述のような理由で、アップリンクの構成されたグラントの伝送は、５Ｇ新無線（Ｎｅｗ  Ｒａｄｉｏ，ＮＲ）エアインタフェースに対する３ＧＰＰ研究項目においてサポートされることに合意されている。
【００７６】
しかしながら、悪いチャネル状況および／または永続的なリソースの衝突が発生しているＥＤの場合、トランスポートブロック（ｔｒａｎｓｐｏｒｔ  ｂｌｏｃｋ，ＴＢ）をコンテンションフリーのグラントベースの伝送に切り替えることは、構成されたグラントの伝送において使用される予め構成されたトランスポート形式と比較して、成功的にデコードすることを保証するために、および／または、基地局によるアップリンクスケジューリングのリンクアダプテーションを利用するために、多くの場合に所望される。
［構成されたグラントのリソースの構造］
【００７７】
ＮＲライセンス帯域で構成されたグラントの伝送をサポートするために、ＥＤまたはＥＤのグループのために構成された関連リソースは、以下のいずれかまたはすべてを含み得る：
１）例えば、シンボル、ミニスロット、またはスロットなどの、伝送時間間隔（ｔｒａｎｓｍｉｓｓｉｏｎ  ｔｉｍｅ  ｉｎｔｅｒｖａｌ，ＴＴＩ）における周波数リソース。１つの例では、物理リソースブロック（ｐｈｙｓｉｃａｌ  ｒｅｓｏｕｒｃｅ  ｂｌｏｃｋ，ＰＲＢ）方式が提供される。ＰＲＢ方式は、物理的な開始周波数リソースブロック（ｒｅｓｏｕｒｃｅ  ｂｌｏｃｋ，ＲＢ）および割り当てられたＲＢのサイズを指示する。
２）１つのデータ伝送時間間隔の開始／終了位置を含む時間リソース。例えば、ＴＴＩは、１つのシンボル、ミニスロット、またはスロットであり得る。
３）参照信号（ＲＳ）またはＲＳ構成。ここで、各ＥＤは、含まれたシナリオに応じて、例えば、復調基準信号（ＤＭＲＳ）などの１または複数の参照信号（ＲＳ）で構成され得る。ＥＤのグループの場合、各ＥＤは、異なるＲＳを有してもしなくてもよく、または、異なるＲＳのセットを有してもしなくてもよい。異なるＲＳは、例えば、ＵＲＬＬＣアプリケーションまたは大容量マシンタイプ通信（ｍａｓｓｉｖｅ  ｍａｃｈｉｎｅ−ｔｙｐｅ  ｃｏｍｍｕｎｉｃａｔｉｏｎ，ｍＭＴＣ）アプリケーションなどのアプリケーションに応じて、互いに対して直交または非直交であり得ることに留意されたい。
４）以下の２つのパラメータのうちの１つを含み得るＥＤ／ＥＤグループ固有のホッピングパラメータ。１つのパラメータは、ホッピングパターンサイクル期間を含み得る。１つの実施形態において、絶対参照の持続時間（例えば、それ自体を繰り返す前の２０ＴＴＩ）が定義される。絶対参照の持続時間の間、ホッピングパターンを再び繰り返す前に実行するホッピング段階の数（例えば、１０回）は、構成されたグラントの伝送にアクセス可能な時間間隔リソースの周期性（例えば、２ＴＴＩ）に基づいて決定され得る。別の実施形態において、ホッピング回数の絶対数が定義され得る。例えば、それ自体を繰り返す前に、２０回ホッピングする。他の１つまたは複数のパラメータは、ホッピングパターンのインデックスまたは複数のインデックスを含み得、ここで、１つのＥＤは、１または複数のホッピングパターンのインデックスを有し得る。
５）ＥＤごとの１または複数のハイブリッド自動再送要求（ｈｙｂｒｉｄ  ａｕｔｏｍａｔｉｃ  ｒｅｐｅａｔ  ｒｅｑｕｅｓｔ，ＨＡＲＱ）処理ＩＤ。
６）ＥＤごとの１または複数のＭＣＳ。ここで、構成されたグラントのＥＤは、どのＭＣＳを伝送に使用するかを明示的にまたは暗黙的に指示し得る。
７）構成されたグラントの伝送の反復の数Ｋ。１または複数のＫ値はＥＤのために構成され得、ここで、どのＫ値を使用するかは、ＥＤチャネル状況、サービスタイプ等を考慮した特定のルールによって決まる。
８）電力ランピングステップサイズ（例えば、ＥＤ用の）を含む電力制御パラメータ。
９）一般的なグラントベースのデータおよび制御伝送に関連付けられた情報を含む他のパラメータ。場合により、構成されたグラントのリソースのサブセットは「固定」または「予約」リソースと称され得、その一方、グラントベースのリソースのサブセットは「フレキシブル」リソースと称され得、基地局により動的にスケジューリングされ得ることに留意されたい。
［ハイブリッド自動再送要求］
【００７８】
上述したように、ＥＤ１１０は、構成されたグラントの伝送に対して特定のリソースセットを使用するように構成され得る。衝突は、２またはそれより多いＥＤ１１０が同じアップリンクリソースセットでデータの伝送を試みた場合に生じ得る。可能な衝突を緩和するために、ＥＤ１１０は、再伝送を使用し得る。元の構成されたグラントのアップリンク伝送のグラントなしの再伝送は、本明細書では「構成されたグラントの再伝送」と称される。本明細書の構成されたグラントの再伝送についてのあらゆる説明は、第１の再伝送または続きの再伝送のいずれかを指すことを理解されたい。本明細書において、用語「再伝送」は、伝送されたデータの単純反復、ならびに、非同期ハイブリッド自動再送要求（ＨＡＲＱ）を使用する再伝送、すなわち、高速順方向誤り訂正符号化と物理層自動再送要求（ａｕｔｏｍａｔｉｃ  ｒｅｐｅａｔ  ｒｅｑｕｅｓｔ，ＡＲＱ）誤り制御との組み合わせ、の両方を含む。
【００７９】
ライセンスされた帯域ＮＲにおいて、信頼性を向上させ、確認応答（ａｃｋｎｏｗｌｅｄｇｅｍｅｎｔ，ＡＣＫ）または否定応答（ｎｅｇａｔｉｖｅ  ａｃｋｎｏｗｌｅｄｇｅｍｅｎｔ，ＮＡＣＫ）のメッセージの待機に関連付けられる遅延をなくすために、多数の自動構成されたグラントの再伝送が予め構成され得る。再伝送は、以下の条件のうちの少なくとも１つが満たされるまでＥＤ１１０により実行され得る。
（１）基地局１７０がＴＢを成功裏に受信し復号したことを指示するＡＣＫメッセージを、基地局１７０から受信する。ＡＣＫは、専用のダウンリンク確認応答チャネルで送信され、個別のダウンリンク制御情報（ＤＣＩ）として送信され、データチャネルで送信され、グループＡＣＫ／ＮＡＣＫ等の一部として送信され得る。
（２）反復の数がＫに達する。換言すると、ＥＤ１１０がＫ回の再伝送を実行し、ＡＣＫが基地局１７０からまだ受信されていないとき、次にＥＤ１１０は基地局１７０にデータを送信しようと試みることを諦める。いくつかの実施形態において、Ｋは、基地局１７０により半静的に構成され、その結果、基地局１７０またはネットワークは経時的にＫを調整し得る。
（３）グラントは、グラントベースのスイッチに構成されたグラントを実行する基地局１７０から受信される。
【００８０】
一実施形態において、構成されたグラントの再伝送は、否定応答（ＮＡＣＫ）メッセージを受信することにより、または、確認応答（ＡＣＫ）メッセージの受信に失敗することによりトリガされ得る。代替的な実施形態では、Ｋ回の構成されたグラントの再伝送が、基地局１７０からの応答に関わらず実行される。
【００８１】
１または複数の構成されたグラントの再伝送が実行されるリソースは予め構成され得る。この場合、基地局は、アプリオリ情報に基づいてリソースを決定する。代替的に、構成されたグラントの初期伝送、もしくは１または複数の再伝送が実行されるリソースは、例えば、元の構成されたグラントのアップリンク伝送のパイロット信号における識別子に従って決定され得る。これにより、基地局は、パイロットシンボルにおける識別子を検出すると、どのアップリンクリソースが１または複数の再伝送を搬送するかを予測可能に、またはそうでない場合は識別可能になり得る。
【００８２】
構成されたグラントの伝送は、信頼性を高めるために、遅延を低減させ、グラントベースの手順に関連付けられたオーバヘッドを制御し、より多くの再伝送／反復を可能にし得る。しかしながら、アップリンクスケジューリングおよびグラントシグナリングが欠如しているので、構成されたグラントのＥＤは、少なくとも初期の構成されたグラントの伝送に対して固定の変調および符号化方式（ｍｏｄｕｌａｔｉｏｎ  ａｎｄ  ｃｏｄｉｎｇ  ｓｃｈｅｍｅ，ＭＣＳ）レベルを使用するために、予め構成される必要があり得る。１つの実施形態において、構成されたグラントのＥＤは、最も信頼性が高いＭＣＳレベルを、構成されたグラントのアップリンク伝送用の所与のリソースユニットに使用するように構成される。
［非ライセンススペクトルアクセス］
【００８３】
上述したように、ライセンススペクトルにおける帯域幅の不足および費用、およびデータ伝送容量に対する要求の増加を考慮すると、アップリンク通信トラフィックなどの少なくとも一部の通信トラフィックを非ライセンススペクトルにオフロードすることへの関心が高まっている。例えば、多くの無線ローカルエリアネットワーク（Ｗｉｒｅｌｅｓｓ  Ｌｏｃａｌ  Ａｒｅａ  Ｎｅｔｗｏｒｋｓ，ＷＬＡＮ）が動作する非ライセンス５ＧＨｚスペクトルに大きな関心が寄せられている。したがって、このスペクトルで動作すべく、領域固有の非ライセンススペクトル規制に準拠することと共に、ＷＬＡＮとの効果的かつ公正な共存が必要になり得る。
【００８４】
３ＧＰＰ  Ｒｅｌ  １３およびＲｅｌ  １４のライセンス補助アクセス（Ｌｉｃｅｎｓｅｄ−Ａｓｓｉｓｔｅｄ  Ａｃｃｅｓｓ，ＬＡＡ）および進歩したＬＡＡ（ｅｎｈａｎｃｅｄ  ＬＡＡ，ｅＬＡＡ）はそれぞれ、アンカーライセンスキャリアの助けを借りて、オペレータのスモールセルで非ライセンスコンポーネントキャリア（ｃｏｍｐｏｎｅｎｔ  ｃａｒｒｉｅｒｓ，ＣＣ）を集約することによって、スペクトル効率の高いＭＢＢエアインタフェース（ａｉｒ  ｉｎｔｅｒｆａｃｅ，ＡＩ）を膨大且つ無料である非ライセンススペクトルに移植することを目的とする。
【００８５】
しかしながら、ｅＬＡＡにおけるＵＬ伝送は、ＧＢ方式のみを中心として構築されている。グローバルな非ライセンス解決手段を提示するためには、メディアアクセス設計にリッスン・ビフォア・トーク（ＬＢＴ）などの規制要件を課す必要がある。そのため、ｅＬＡＡにおけるＵＬ伝送は、以下のような複数の競合レベルに起因して、遅延とメディアアクセス機会の成功との観点から不利となっている。
・ＥＤが、例えば、スタンドアロン（ｓｔａｎｄａｌｏｎｅ，ＳＡ）展開において、すなわち、アンカーライセンスセルなしに、スケジューリング要求（ｓｃｈｅｄｕｌｉｎｇ  ｒｅｑｕｅｓｔ，ＳＲ）を伝送する。
・基地局が、他のＥＤの間にＥＤをスケジューリングする。
・基地局が、スケジューリングされたグラントを伝送する（特にセルフキャリアスケジューリングの場合）。
・ＥＤがＧＢ伝送を実行する。
【００８６】
本開示の態様は、統合ＮＲ−Ｕエアインタフェースの一部としてＣＧ伝送方式を可能することにより、非ライセンススペクトルにおけるアップリンク伝送の課題を対処する。
【００８７】
ＥＤが非ライセンススペクトルにアクセスして非ライセンススペクトルサブバンドを伝送し得る前に、ＥＤは、伝送前にチャネルがアイドル状態であることをチェックすべく、リッスン・ビフォア・トーク（ＬＢＴ）動作（例えば、初期クリアチャネルアセスメント（ｉｎｉｔｉａｌ  ｃｌｅａｒ  ｃｈａｎｎｅｌ  ａｓｓｅｓｓｍｅｎｔ，ＩＣＣＡ）および拡張クリアチャネルアセスメント（ｅｘｔｅｎｄｅｄ  ｃｌｅａｒ  ｃｈａｎｎｅｌ  ａｓｓｅｓｓｍｅｎｔ，ＥＣＣＡ）を含む）を実行する。非ライセンススペクトル帯域のサブバンドは、例えば、動作の地理的領域におけるＩＥＥＥ８０２．１１規格により定義される１または複数の非ライセンスチャネル、または、無線通信規格により定義される１または複数の帯域幅部分（ｂａｎｄｗｉｄｔｈ  ｐａｒｔｓ，ＢＷＰ）を備える周波数リソースのグループを含み得る。
【００８８】
欧州および日本などの領域においては、非ライセンススペクトルにアクセスしようと試みるデバイスは、負荷ベースの機器（Ｌｏａｄ  Ｂａｓｅｄ  Ｅｑｕｉｐｍｅｎｔ，ＬＢＥ）のＬＢＴ手順、または、フレームベースの機器（Ｆｒａｍｅ  Ｂａｓｅｄ  Ｅｑｕｉｐｍｅｎｔ，ＦＢＥ）のＬＢＴ手順のいずれかに準拠する必要がある。
【００８９】
ＬＢＥのＬＢＴ手順において、非ライセンススペクトルにアクセスしようと試みるデバイスは、成功的なＣＣＡの後に伝送を開始し得る。そのようなＬＢＥのＬＢＴ手順に利用されるＣＣＡメカニズムは、ＷＬＡＮに利用されるものと同じＣＣＡメカニズム、すなわち、搬送波感知多重アクセス／衝突回避（ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ａｖｏｉｄａｎｃｅ，ＣＳＭＡ／ＣＡ）であってもよく、または、エネルギー検出ベースのＣＣＡに基づいてもよい。例えば、エネルギー検出ベースのＣＣＡは、ランダムバックオフを利用して、コンテンションウィンドウのサイズを決定し、デバイスが一度伝送リソースに対して成功裏に競合すると、デバイスが非ライセンススペクトルで伝送し得る時間の最大量を決定するそれぞれの最大チャネル占有時間（ｍａｘｉｍｕｍ  ｃｈａｎｎｅｌ  ｏｃｃｕｐａｎｃｙ  ｔｉｍｅ，ＭＣＯＴ）を決定し得る。
【００９０】
ＦＢＥのＬＢＴ手順において、非ライセンススペクトルにアクセスしようと試みるデバイスは、エネルギー検出ベースのＣＣＡが短時間成功した後、周期的な瞬間のみで伝送を開始し得る。
【００９１】
３ｒｄ  Ｇｅｎｅｒａｔｉｏｎ  Ｐａｒｔｎｅｒｓｈｉｐ  Ｐｒｏｊｅｃｔ（３ＧＰＰ）Ｒｅｌｅａｓｅ  １３  Ｌｏｎｇ  Ｔｅｒｍ  Ｅｖｏｌｕｔｉｏｎ（ＬＴＥ）仕様は、非ライセンススペクトルにおけるライセンス補助アクセス（ＬＡＡ）のフレームワークを提供する。フレームワークは、非ライセンススペクトルにアクセスしようと試みる各デバイスが準拠する必要があるカテゴリ４（ＣＡＴ４）のＬＢＴ手順（ランダムバックオフまたはＥＣＣＡを有するＬＢＴ）を含む。ＷｉＦｉ／ＷＬＡＮのためのＣＳＭＡ／ＣＡにおけるＬＢＴメカニズムと同様に、３ＧＰＰ  Ｒｅｌｅａｓｅ  １３  ＣＡＴ４  ＬＢＴメカニズムにおいて、各デバイスは、ランダムバックオフカウンタまたはコンテンションウィンドウ（ｃｏｎｔｅｎｔｉｏｎ  ｗｉｎｄｏｗ，ＣＷ）を個別に生成し、「ビジー」評価によってＣＣＡが終了されたとき、バックオフカウンタは、次のアクセス試行における優先度を維持するために凍結される。しかしながら、隣接するスモールセル進化型ノードＢ（ｅｖｏｌｖｅｄ  Ｎｏｄｅ  Ｂｓ，ｅＮＢ）の同期グループアクセスは、隣接するスモールセルｅＮＢからのダウンリンク（ｄｏｗｎｌｉｎｋ，ＤＬ）伝送の共通の開始時間を設定することにより、バックホール接続を介した３ＧＰＰ  Ｒｅｌｅａｓｅ  １３でサポートされる。予め構成されたサブフレームの開始ポイントの前にＣＣＡを成功的に終了したｅＮＢは、そのポイントへのその伝送を遅延する必要がある。しかしながら、その伝送を遅延させたｅＮＢは、ブランク遮断／予約信号を伝送することにより、遅延時間の間、ＷｉＦｉまたは他ＬＡＡのアクセスを防止することができない。これは、これがグループ内のｅＮＢの進行中のＣＣＡに障害を生じさせる可能性が高いからである。
［非ライセンススペクトルにおける構成されたグラントのＵＬ伝送］
【００９２】
非ライセンススペクトルにおける構成されたグラントのアップリンク伝送をサポートすることに関連付けられた上記の課題を対処する方法およびデバイスが提供される。いくつかの実施形態において、同じグループ内のＥＤは、非ライセンススペクトルに同時にアクセスし、構成されたグラントのアップリンク伝送のための非ライセンススペクトルサブバンドの時間−周波数リソースを共有すべく、それぞれのＬＢＴ  ＣＣＡ手順の成功に続いてそれらの伝送開始時間を揃えるように構成される。
【００９３】
構成または再構成は、ＤＬ  ＲＲＣシグナリング、ならびに、ＲＲＣシグナリングとダウンリンク制御情報（ＤＣＩ）アクティブ化との組み合わせによって実行され得る。
【００９４】
本開示のいくつかの実施形態において、ＥＤのグループは、それらの伝送開始時間を、構成されたグラントの伝送サイクルの基準時間および構成されたグラントの伝送サイクル期間により特徴付けられる共通の構成されたグラントの伝送サイクルに揃えるように構成される。同じ構成されたグラントの伝送サイクルで構成されたＥＤは、同じ非ライセンススペクトルサブバンドにグループ化され得る。非ライセンススペクトルサブバンドは、１または複数のＢＷＰ、または、例えば、２０／４０／８０／１００／１６０ＭＨｚの帯域幅を有する１または複数の非ライセンススペクトルチャネルを含み得る。
【００９５】
サブバンドの時間−周波数リソースは、サブバンド内のそれらのそれぞれのグラントフリーアップリンク伝送のためのグループＥＤにより共有されるが、伝送開始ポイントが時間的に揃えられているので、グループＥＤがＣＣＡ手順の間に互いにブロックすることはない。
【００９６】
無線パラメータは、特定の信号を通信するために使用されるエアインタフェースの物理層パラメータのセットとして定義される。ＯＦＤＭベース通信の場合、無線パラメータは、少なくともサブキャリア間隔（ｓｕｂｃａｒｒｉｅｒ  ｓｐａｃｉｎｇ，ＳＣＳ）およびＯＦＤＭシンボル持続時間の観点から説明されており、また、高速フーリエ変換（ｆａｓｔ  Ｆｏｕｒｉｅｒ  ｔｒａｎｓｆｏｒｍ，ＦＦＴ）／逆ＦＦＴ（ｉｎｖｅｒｓｅ  ＦＦＴ，ＩＦＦＴ）長、伝送タイムスロット長、および巡回プレフィックス（ｃｙｃｌｉｃ  ｐｒｅｆｉｘ，ＣＰ）長または持続時間などの他のパラメータにより定義され得る。後ほどさらに詳細に説明されるように、本開示に従って非ライセンススペクトルにおける構成されたグラントのＵＬ伝送に使用される無線パラメータは、特定の機能をサポートするように選択され得る。
［構成されたグラントの伝送サイクルの無線パラメータ］
【００９７】
所与の非ライセンススペクトルサブバンドの構成されたグラントのＥＤのグループにより使用される揃えられた構成されたグラントの伝送サイクルは、他の非ライセンススペクトルサブバンドに使用される揃えられた構成されたグラントの伝送サイクルに対して非同期であり得る。異なる非ライセンススペクトルサブバンドにおいて使用されるそれぞれの無線パラメータおよび整列時間単位（Ａｌｉｇｎｍｅｎｔ  Ｔｉｍｅ  Ｕｎｉｔ，ＡＴＵ）も、異なり得る。ＡＴＵの例は、限定されるものではないが、スロット、ミニスロット、およびシンボルを含む。
【００９８】
異なる無線パラメータの使用の観点から、柔軟なフレーム構造が提案されている。前述したように、無線パラメータは、特定の信号を通信するために使用されるエアインタフェースの物理層パラメータのセットとして定義される。無線パラメータは、少なくともサブキャリア間隔（ＳＣＳ）およびＯＦＤＭシンボル持続時間の観点から説明されており、また、高速フーリエ変換（ＦＦＴ）／逆ＦＦＴ（ＩＦＦＴ）長、伝送タイムスロット長、および巡回プレフィックス（ＣＰ）長または持続時間などの他のパラメータにより定義され得る。いくつかの実装において、無線パラメータの定義はまた、信号を通信するために使用されるいくつかの候補波形のうちの１つを含み得る。可能な波形候補は、限定されるものではないが、以下から選択される１または複数の直交または非直交波形を含み得る：直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）、フィルタリングされたＯＦＤＭ（Ｆｉｌｔｅｒｅｄ  ＯＦＤＭ，ｆ−ＯＦＤＭ）、フィルタバンクマルチキャリア（Ｆｉｌｔｅｒ  Ｂａｎｋ  Ｍｕｌｔｉｃａｒｒｉｅｒ，ＦＢＭＣ）、ユニバーサルフィルタードマルチキャリア（Ｕｎｉｖｅｒｓａｌ  Ｆｉｌｔｅｒｅｄ  Ｍｕｌｔｉｃａｒｒｉｅｒ，ＵＦＭＣ）、一般化された周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ，ＧＦＤＭ）、単一キャリア周波数分割多重アクセス（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ，ＳＣ−ＦＤＭＡ）、低密度シグネチャマルチキャリア符号分割多元接続（Ｌｏｗ  Ｄｅｎｓｉｔｙ  Ｓｉｇｎａｔｕｒｅ  Ｍｕｌｔｉｃａｒｒｉｅｒ  Ｃｏｄｅ  Ｄｉｖｉｓｉｏｎ  Ｍｕｌｔｉｐｌｅ  Ａｃｃｅｓｓ，ＬＤＳ−ＭＣ−ＣＤＭＡ）、ウェーブレットパケット変調（Ｗａｖｅｌｅｔ  Ｐａｃｋｅｔ  Ｍｏｄｕｌａｔｉｏｎ，ＷＰＭ）、ナイキストより速い（Ｆａｓｔｅｒ  Ｔｈａｎ  Ｎｙｑｕｉｓｔ，ＦＴＮ）波形、低ピーク対平均電力比波形（ｌｏｗ  Ｐｅａｋ  ｔｏ  Ａｖｅｒａｇｅ  Ｐｏｗｅｒ  Ｒａｔｉｏ  Ｗａｖｅｆｏｒｍ，ｌｏｗ  ＰＡＰＲ  ＷＦ）、パターン分割多元接続（Ｐａｔｔｅｒｎ  Ｄｉｖｉｓｉｏｎ  Ｍｕｌｔｉｐｌｅ  Ａｃｃｅｓｓ，ＰＤＭＡ）、格子区分多元接続（Ｌａｔｔｉｃｅ  Ｐａｒｔｉｔｉｏｎ  Ｍｕｌｔｉｐｌｅ  Ａｃｃｅｓｓ，ＬＰＭＡ）、リソース拡散多元接続（Ｒｅｓｏｕｒｃｅ  Ｓｐｒｅａｄ  Ｍｕｌｔｉｐｌｅ  Ａｃｃｅｓｓ，ＲＳＭＡ）、およびスパースコード多元接続（Ｓｐａｒｓｅ  Ｃｏｄｅ  Ｍｕｌｔｉｐｌｅ  Ａｃｃｅｓｓ，ＳＣＭＡ）。
【００９９】
これらの無線パラメータは、異なる無線パラメータのサブキャリア間隔が互いに整数倍であり、異なる無線パラメータのタイムスロット長も互いに整数倍であるという意味で拡張可能であり得る。複数の無線パラメータにわたってのそのような拡張可能な設計は、例えば、時分割複信（ｔｉｍｅ  ｄｉｖｉｓｉｏｎ  ｄｕｐｌｅｘ，ＴＤＤ）コンテキストにおいて拡張可能な合計ＯＦＤＭシンボル持続時間などの実装上の利益を提供する。
【０１００】
複数のＥＤが周波数リソースを共有する場合、各ＥＤは、それらのそれぞれの構成されたグラントのＵＬバーストを伝送する場合、１または複数の周波数インターレースを使用し得る。従って、いくつかの実施形態において、異なるＥＤは各々が、非ライセンスサブバンド内でそれらのそれぞれの構成されたグラントのＵＬバーストを伝送するために、それぞれの直交周波数インターレースのセットを使用する。
【０１０１】
Ｔｙｐｅ１  ＮＲ  ＴＣＧと称される、ＮＲのために想定される構成されたグラントを用いる伝送（ｔｒａｎｓｍｉｓｓｉｏｎ  ｗｉｔｈ  ｃｏｎｆｉｇｕｒｅｄ  ｇｒａｎｔ，ＴＣＧ）の１つのタイプは、ＥＤに構成情報を提供するために無線リソース制御（ＲＲＣ）シグナリングを使用することを含む。構成情報の例は、限定されるものではないが、周期性、オフセット、時間−周波数割り当て、ＥＤ固有の復調基準信号（ｄｅｍｏｄｕｌａｔｉｏｎ  ｒｅｆｅｒｅｎｃｅ  ｓｉｇｎａｌｓ，ＤＭＲＳ）構成、変調符号化方式／伝送ブロックサイズ（ｍｏｄｕｌａｔｉｏｎ  ｃｏｄｉｎｇ  ｓｃｈｅｍｅ／ｔｒａｎｓｍｉｔ  ｂｌｏｃｋ  ｓｉｚｅ，ＭＣＳ／ＴＢＳ）、反復の数（Ｋ）、および電力制御を含む。
【０１０２】
Ｔｙｐｅ２  ＮＲ  ＴＣＧと称される第２のタイプにおいて、ＲＲＣシグナリングは、ＥＤに構成情報の一部を提供するために使用され得、他の構成情報は、アクティブ化ダウンリンク制御情報（ＤＣＩ）においてＥＤに提供される。ＲＲＣシグナリングにおいて提供され得る構成情報の例は、限定されるものではないが、周期性、電力制御、反復の数（Ｋ）、およびＭＣＳ／ＴＢＳを含む。アクティブ化ＤＣＩにおいて提供され得る構成情報の例は、限定されるものではないが、オフセット、時間−周波数割り当て、ＭＣＳ／ＴＢＳ、およびＥＤ固有のＤＭＲＳ構成情報を含む。
【０１０３】
非ライセンススペクトルにおける構成されたグラントの伝送のための時間領域リソース割り当てに関して、以下の２つのパラメータが、上述したＴｙｐｅ１およびＴｙｐｅ２の両方のＲＲＣシグナリングによって構成される。
【０１０４】
Ｋ回の反復：同じＰＵＳＣＨのＫ＝｛１，２，４，８｝回の連続的伝送。
【０１０５】
周期性：以下の周期性は、構成されたサブキャリア間隔に応じてサポートされる。
１５ｋＨｚ：２，７、ｎ＊１４、ここで、ｎ＝｛１，２，４，５，８，１０，１６，２０，３２，４０，６４，８０，１２８，１６０，３２０，６４０｝
３０ｋＨｚ：２，７、ｎ＊１４、ここで、ｎ＝｛１，２，４，５，８，１０，１６，２０，３２，４０，６４，８０，１２８，１６０，２５６，３２０，６４０，１２８０｝
通常のＣＰの６０ｋＨｚ：２，７、ｎ＊１４、ここで、ｎ＝｛１，２，４，５，８，１０，１６，２０，３２，４０，６４，８０，１２８，１６０，２５６，３２０，５１２，６４０，１２８０，２５６０｝
ＥＣＰの６０ｋＨｚ：２，６，ｎ＊１２、ここで、ｎ＝｛１，２，４，５，８，１０，１６，２０，３２，４０，６４，８０，１２８，１６０，２５６，３２０，５１２，６４０，１２８０，２５６０｝
【０１０６】
以下の２つのパラメータは、Ｔｙｐｅ１のＲＲＣを介して、そしてＴｙｐｅ２のアクティブ化ＤＣＩを介して構成される。
ｔｉｍｅＤｏｍａｉｎＡｌｌｏｃａｔｉｏｎ：ｓｔａｒｔＳｙｍｂｏｌＡｎｄＬｅｎｇｔｈを含むテーブルエントリを指示する時間領域における構成されたアップリンクグラントの割り当て
ｔｉｍｅＤｏｍａｉｎＯｆｆｓｅｔ：Ｔｙｐｅ１の時間領域におけるＳＦＮ＝０に対するリソースのオフセット、およびＴｙｐｅ２のアクティブ化ＤＣＩの伝送時間に対するリソースのオフセット
そのため、Ｔｙｐｅ１およびＴｙｐｅ２の両方について、ｔｉｍｅＤｏｍａｉｎＯｆｆｓｅｔおよび周期性は、構成された時間リソースが開始する各期間の開始を定義する。
【０１０７】
非ライセンススペクトルにおいて動作するように適用される予定であるとき、構成されたグラントを用いる伝送のための既存のＴｙｐｅ１およびＴｙｐｅ２の手順には、いくつかの潜在的問題が存在する。
【０１０８】
Ｔｙｐｅ１およびＴｙｐｅ２の手順の場合において、伝送の準備ができている伝送を有する構成されたグラントの可能なＥＤの場合、ＥＤは、ＬＢＴ障害の結果として、予め構成されたリソースへのアクセスができない場合がある。伝送は、バースト伝送であり得る。伝送は、限定されるものではないが、１または複数の物理アップリンク共有チャネル（ＰＵＳＣＨ）、ＰＵＳＣＨ上のアップリンク制御情報（ＵＣＩ）、または、復調基準信号（ＤＭ−ＲＳ）を含み得る。そのようなＬＢＴ障害が生じたとき、ＥＤは、次の構成されたグラント期間までチャネルアクセスを遅延する必要がある。Ｋ回の反復の構成は、そのような場合に有用ではない。第１のスロットにおいて、第１の伝送が失敗したとき、残りのＫ回の反復が構成されている後続のスロットにおいて再伝送を開始することができない場合がある。既存のＴｙｐｅ１およびＴｙｐｅ２の手順は、全てのグラントフリースロットに適用される予め構成されたグラント機会の開始位置および長さを構成することを含む。バースト伝送内のギャップが回避されるとき、そのような手順は、制限がかかりすぎる可能性がある。手順は、第１の直交周波数領域多重（ＯＦＤＭ）シンボル（スロットに１４個のＯＦＤＭシンボルが存在する場合、ＯＳ＃０）以外の開始シンボル、および／または、最後のＯＦＤＭシンボル（ＯＳ＃１３）で終了しないＰＵＳＣＨ長を有する任意の構成は、ＣＧ時間リソースのスロット間にギャップをもたらし得るので、制限がかかりすぎる可能性がある。サブキャリア間隔に応じて、そのようなギャップは、他のノードがチャネルを取得するのに十分であり得る。
【０１０９】
本願の実施形態は、同じ時間領域リソースと、同じ非ライセンスチャネルにおける直交周波数インターレースまたは同じ周波数インターレースのいずれかとが割り当てられるＥＤの選択されたセットの構成を可能にし得る。非ライセンスチャネルにおける伝送開始ポイントを揃えるべくＥＤの選択されたセットを構成することは、そして、いくつかの実施形態において伝送開始ポイントの少なくとも一部に対して遮断シンボルを利用することは、ＬＢＴ手順の間の相互遮断を緩和し得る。
【０１１０】
本願の実施形態は、複数の伝送機会を含む予め構成されたＣＧ時間リソースを用いるＥＤの構成を可能にし得る。予め構成されたＣＧ時間リソース内の伝送機会は、１または複数のスロット、ミニスロット、またはシンボルの後、予め構成されたＣＧ時間リソースの先頭または過去の伝送機会から生じ得る。
【０１１１】
予め構成された時間リソースが複数の伝送機会を有する場合、これは、ＥＤが予め構成された時間リソース内の複数の位置のうちの１つにおいて伝送を開始することを可能にする。用語「伝送機会」は、ＣＧ時間リソース内の特定の期間ではなく、伝送開始ポイントを定義することを意図している。予め構成されたＣＧ時間リソース内の第１の伝送機会の開始の前に、ＥＤは、伝送機会において、チャネルにアクセスするための第１のＬＢＴ手順を実行する。第１のＬＢＴが成功したとき、ＥＤは、第１の伝送機会において、ＰＵＳＣＨでの伝送を開始し得る。しかしながら、ＬＢＴが失敗したとき、ＥＤは、既存の手順のように、残りの予め構成された期間の間、チャネルアクセスを遅延しない。次の予め構成された時間リソースに対する遅延の代わりに、ＥＤは、予め構成されたＣＧ時間リソースにおける第２の伝送機会の前に、別のＬＢＴを試行する。第２の伝送機会においてＬＢＴが失敗したとき、第３の伝送機会の前にＬＢＴを試行する。ＥＤは、ＬＢＴが成功するまで、またはＥＤが現在の予め構成されたＣＧ時間リソースにおけるすべての伝送機会を使い果たすまで、ＬＢＴの実行を試行し続ける。ＥＤが、現在の予め構成されたＣＧ時間リソースのいずれの伝送機会においても伝送を開始することができないとき、ＥＤは、後続の期間内において、次の予め構成されたＧＣ時間リソースの伝送機会まで伝送を遅延し得る。
【０１１２】
ＮＲ−Ｕは、広帯域の周波数領域動作をサポートする。広帯域キャリアは、複数のサブバンドに分割され得、サブバンドのグループは、帯域幅部分（ＢＷＰ）としてグループ化され得る。結果的に、構成されたグラントの可能なＥＤは、広帯域キャリアの複数のサブバンドに跨る広帯域アップリンク（ＵＬ）帯域幅部分（ＢＷＰ）を含む広帯域キャリアで構成され得る。いくつかの実施形態において、各サブバンドは、２０ＭＨｚの非ライセンスチャネルであり得る。
【０１１３】
ＮＲ−ＵにおけるＬＢＴ障害に対する復元力を高める、および／または、異なるサービス品質（ＱｏＳ）要件の異なるアップリンクトラフィックタイプに対してリソース割り当ての柔軟性を提供するべく、構成されたグラントの可能なＥＤは、周波数領域リソースで構成され得る。いくつかの実施形態において、周波数領域リソースは、例えば広帯域ＵＬ  ＢＷＰ内の１または複数のサブバンドに跨る１または複数の周波数インターレースであり得る。
【０１１４】
構成されたグラントの可能なＥＤが構成されたグラントの時間リソースを介して伝送し得る前に、ＥＤは、構成されたグラント周波数リソースの帯域幅を介してＬＢＴを実行する必要がある。ＥＤは、複数のサブバンドＬＢＴ手順を実行する。これは、以下のｅＬＡＡ  Ｔｙｐｅ１またはＴｙｐｅ２のマルチチャネルアクセスを含み得る。
【０１１５】
サブバンドＬＢＴ手順の結果に基づいて、構成されたグラントの可能なＥＤは、ＬＢＴ手順が成功した１または複数のサブバンドで伝送を行い得る。いくつかの実施形態において、構成されたグラントの可能なＥＤは、ＬＢＴ手順が成功した多数のサブバンドを、例えば、ＴＢサイズなどのＵＬトラフィックタイプに基づいて選択する。
【０１１６】
いくつかの実施形態において、この技術は、同じ時間−周波数リソースおよび全チャネルＢＷ（すべてのインターレース）で構成された、構成されたグラントの可能なＥＤのグループが、異なるサブバンドで伝送することにより互いに遮断することを緩和する方式で、同じ構成されたグラント期間内に伝送を行うことを可能にする。
【０１１７】
基地局は、広帯域ＢＷＰを介して階層型マルチチャネルアクセスが使用される場合、グループ内の各構成されたグラントの可能なＥＤを異なるプライマリサブバンドと共に構成するための構成情報を伝送し得る。基地局により構成されるか、または、構成されたグラントの可能なＥＤによりランダムに選択される時間オフセットは、日和見広帯域ＣＧ伝送を可能にするために、セカンダリサブバンド上の潜在的な伝送開始位置に適用され得る。
【０１１８】
いくつかの実施形態において、ＥＤの電力は伝送帯域幅にわたって分割されるので、複数のサブバンド周波数リソースを介して伝送されるように構成される構成されたグラントの可能なＥＤは、カバレッジ拡張のために広帯域ＢＷＰ内でＬＢＴが成功した単一サブバンドへの構成されたグラントの伝送を制限するように選択し得る。そのようなイベントは、例えば、構成されたグラントの可能なＥＤが基地局から一連の連続的にステップアップする送信電力制御（ｔｒａｎｓｍｉｔ  ｐｏｗｅｒ  ｃｏｎｔｒｏｌ，ＴＰＣ）コマンドを受信する場合に生じ得る。ＥＤは、ダウンリンクフィードバック指示（ｄｏｗｎｌｉｎｋ  ｆｅｅｄｂａｃｋ  ｉｎｄｉｃａｔｉｏｎ，ＤＦＩ）でそのようなＴＰＣコマンドを受信し得る。
【０１１９】
図３は、非ライセンススペクトルにおける構成されたグラントのための２つの連続する予め構成された時間リソースの例を示す。６個のリソースユニット３２１−３２６を含む予め構成されたＣＧ時間リソース３２０を含む第１の予め構成された期間３１０が示される。リソースユニットの例は、スロットまたはミニスロットである。３つの伝送機会が、リソースユニット３２１、３２２および３２４の先頭において予め構成されている。ＬＢＴは、リソースユニット３２１の先頭で生じる第１の伝送機会３２１Ａで成功することが指示され、ＥＤは、伝送機会３２１Ａから伝送を行い、３つのリソースユニットを占有する。予め構成された時間リソース３２０の外部にあるが第１の予め構成された期間３１０の内部にある時間領域リソースは、ＥＤにより使用されない。６個のリソースユニット３３１−３３６を有する予め構成されたＣＧ時間リソース３３０を含む第２の予め構成された期間３４０の一部分が示される。ＬＢＴは、第１および第２の伝送機会３３１Ａおよび３３２Ａに対応する第１の２つのリソースユニット３３１および３３２の先頭で失敗することが指示される。ＬＢＴは、伝送機会３３４Ａの先頭で成功することが指示され、次にＥＤは、伝送機会３３４Ａで伝送を行い、予め構成された時間リソースの残りを占有する。予め構成された時間リソース３３０の外部にあるが第２の予め構成された期間３４０の内部にある時間領域リソースは、ＥＤにより使用されない。リソースユニット３２１−３２６および３３１−３３６は各々が、１または複数のスロット、１または複数のミニスロット、または１または複数のシンボルであり得る。
【０１２０】
Ｔｙｐｅ１およびＴｙｐｅ２のＮＲ  ＣＧ手順について上述されたように、Ｋ回の反復および周期性というパラメータは、ライセンススペクトルにおける構成されたグラントのための時間領域リソース割り当てを定義するのに使用される。既存のＴｙｐｅ１およびＴｙｐｅ２のＮＲ  ＣＧ手順を用いる一貫したアプローチを提供するが、ＮＲ−Ｕ  ＣＧに対してより有効且つ効率的な結果を可能にするべく、本願の実施形態は、非ライセンススペクトルにおける構成されたグラントを利用するための代替的なパラメータのセットを提供する。
【０１２１】
図４は、複数のリソースユニット４２１、４２２、４２３および４２４を有するＣＧ時間リソース４２０と、４２１Ａ、４２２Ａ、および４２３Ａに指示される伝送機会とを含むように構成され得る非ライセンススペクトルにおける伝送リソースの１つの期間４１０の例を示す。伝送リソースユニット４２１−４２４は各々が、１または複数のスロット、１または複数のミニスロット、または１または複数のシンボルであり得る。伝送機会４２１Ａ、４２２Ａおよび４２３Ａの各々の先頭は、潜在的な伝送開始位置として識別される。伝送は、バースト伝送であり得る。図４では、第１および第２のリソースユニット４２１および４２２の潜在的な伝送開始位置において、ＬＢＴ手順が失敗していることが示されており、したがって、第１および第２の伝送機会４２１Ａおよび４２２Ａにおける伝送は存在しない。第３のリソースユニット４２３の先頭においては、ＬＢＴ手順が成功していることが示される。次に、ＥＤは、リソースユニット４２３および４２４において伝送を行う。ＥＤが、より多くの伝送すべきものをまだ有しているとき、ＥＤは、次の期間における第１の伝送機会まで待機する。伝送リソース４００の期間の残りは、ＥＤにより使用されない。
【０１２２】
ライセンススペクトルのＮＲ  ＣＧのＴｙｐｅ１およびＴｙｐｅ２の手順において使用されるＫ回の反復のパラメータフィールドは、ＮＲ−Ｕ  ＣＧの場合は、伝送リソースの期間内の構成されたグラントの時間リソースのサイズを指示するパラメータフィールドに置き換えられ得る。
【０１２３】
Ｋ回の反復のパラメータフィールドを置き換えることは、期間内の構成されたグラントの時間リソースのサイズを指示する新しいパラメータフィールドを導入する効率的な方法であり得ることを理解されたい。しかしながら、例えば、非ライセンススペクトルにおけるいくつかのアプリケーションに対する信頼性を高めるために、Ｋ回の反復のパラメータフィールドを使用することが望ましいとき、新しいパラメータフィールドは、ＣＧリソース構成パラメータに個別に追加され得る。
【０１２４】
構成されたグラントの時間リソースのサイズの情報が提供され得る複数の方法が存在する。使用され得る一組の予め定義された構成されたグラントのリソースサイズが存在するシナリオにおいて、構成されたグラントのリソース情報をＥＤに提供する１つの方法の例は、予め定義されたサイズのうちの１つのインデックスを指示することである。リソースのサイズは、１または複数のスロット、１または複数のミニスロット、または１または複数のシンボルの単位であり得る。予め定義された構成されたグラントのリソースサイズは、無線パラメータに依存し得る。いくつかの実施形態において、セットは、同じ無線パラメータ値におけるサイズに基づいてグループ化され得る。いくつかの実施形態において、これは、セットがサブキャリア間隔に基づいてグループ化されることをもたらし得る。
【０１２５】
構成されたグラントのリソース情報をＥＤに通信する第２の方法の例は、構成されたグラントのリソースの絶対サイズを指示することである。これは、ミリ秒の単位、すなわち、サブフレームで実行されてもよく、または、スロットまたはシンボルなどのいくつかの他の適切な時間スケールで実行されてもよい。
【０１２６】
ライセンススペクトルのＮＲ  ＣＧのＴｙｐｅ１およびＴｙｐｅ２の手順において使用される周期性のパラメータフィールドは、ＮＲ−Ｕ  ＣＧに対して、同じ形態で再使用され得る。いくつかの実施形態において、ＮＲライセンスのパラメータを現在定義している、第１の２つの選択肢の１つまたは両方、すなわち、２個のＯＦＤＭシンボルと７個のＯＦＤＭシンボルとは、ＮＲ−Ｕ  ＣＧ周期性に対する特定の選択として定義されなくてよい。
【０１２７】
図５は、第１のＥＤ用の複数のリソースユニット５１１、５１２、５１３および５１４を有するＣＧ時間リソース５１０と、第２のＥＤ用の複数のリソースユニット５２１、５２２、５２３および５２４を有するＣＧ時間リソース５２０とを含むように構成され得る非ライセンススペクトルにおける伝送リソースの１つの期間５００の例を示す。リソースユニット５１１−５１４は各々が、１または複数のスロット、１または複数のミニスロット、または１または複数のシンボルであり得る。リソースユニットの各々の先頭は、潜在的な伝送開始位置として識別される。図５において、第１のリソースユニット５１１の先頭、すなわち、伝送機会５１１Ａにおいて、ＬＢＴ手順は、第１のＥＤに対して成功していることが示される。次に、ＥＤは、第１から第４のリソースユニット５１１、５１２、５１３および５１４において伝送を行う。第１のＥＤは、第１の周波数領域インターレースを使用して伝送を行う。第４の伝送機会５１４において、伝送は生じない。第１のＥＤの伝送リソース５００の残りの期間は、使用されない。
【０１２８】
リソースユニットの先頭において伝送するパケットが存在しないので、第２のＥＤは、第１のリソースユニット５２１では伝送を行わない。パケットの到着が遅れると、第２のＥＤは、第２のリソースユニット５２２の開始において、すなわち、伝送機会５２２Ａにおいて、第１のＬＢＴ手順を実行する。第１のＬＢＴ手順が成功するので、次に、第２のＥＤは、第２のリソースユニット５２２、第３のリソースユニット５２３、および第４のリソースユニット５２４において伝送を行う。第２のＥＤは、第２の周波数領域インターレースを使用して伝送を行う。図５の例において、第１の周波数領域インターレースと第２の周波数領域インターレースとは、同一でないように指示される。いくつかの実施形態において、インターレースは、互いに直交であり得る。
【０１２９】
図５において、潜在的な開始位置の数は、リソースユニットの数に等しい場合がある。図５において、これは４で示される。しかしながら、これは一例に過ぎず、対応する数の伝送機会をもたらす伝送開始位置の数は４に限定されるわけではないことを理解されたい。
【０１３０】
ライセンススペクトルのＮＲ  ＣＧのＴｙｐｅ１およびＴｙｐｅ２の手順において使用されるｔｉｍｅＤｏｍａｉｎＡｌｌｏｃａｔｉｏｎのパラメータフィールドは、割り当てられたＣＧ時間領域リソースのいくつかの特徴を指示するパラメータフィールドを有するＮＲ−Ｕ  ＣＧに置き換えられ得る。パラメータフィールドは、ＣＧ時間領域リソース内の伝送のための多数の開始位置の指示を含み得る。また、パラメータフィールドは、１）ＣＧ時間領域リソース内の多数のブランキング位置の指示、または、２）ＣＧ時間領域リソースの先頭からのブランキング位置間の時間間隔の指示のうちの１つを含み得る。伝送の各開始位置には、ブランキング位置がない場合がある。特定の例において、ＣＧ時間領域リソースに４回の伝送機会が存在する場合、ブランキング位置は、第１の伝送機会および第３の伝送機会の先頭において、または第２の伝送機会および第４の伝送機会の先頭において生じるようにスケジューリングされ得る。ブランキング位置の数が指示されている場合、パラメータフィールドはまた、ブランキング位置の各々に、１）ブランキング位置における伝送のための開始ポイントの指示、または、２）ブランキング位置からの多数のブランキングシンボルの指示のうちの１つを含み得る。
【０１３１】
伝送開始位置の各々の開始ポイントを識別することに関して、いくつかの実施形態において、基地局は、同じ時間領域リソース構成を有するが、互いに直交する周波数インターレースを有するＥＤのグループの各ＥＤを構成し得る。いくつかの実施形態において、基地局は、ダウンリンクまたはスケジューリングアップリンク、またはその両方と共存することを可能にするために、伝送の先頭にオフセットを適用するようにＥＤを構成し得る。このオフセットは、ダウンリンクまたはスケジューリングされたアップリンク伝送が終了した後、ＣＧ時間リソースの第１の伝送機会の前に、ＬＢＴ用のスペースを作成するために、ＣＧリソースの先頭における開始位置をオフセットするブランキング持続時間であり得る。
【０１３２】
ライセンススペクトルのＮＲ  ＣＧのＴｙｐｅ１およびＴｙｐｅ２の手順において使用されるｔｉｍｅＤｏｍａｉｎＯｆｆｓｅｔのパラメータフィールドは、ＮＲ−Ｕ  ＣＧに対して、同じ形態で再使用され得る。
［ＮＲ−Ｕ設計におけるＡＵＬ−ＵＣＩ］
【０１３３】
ライセンススペクトルにおけるＮＲの非同期ＨＡＲＱをサポートすべく、ＥＤにより選択されたＨＡＲＱパラメータを搬送する自律的なアップリンク（ＡＵＬ）における各物理アップリンク共有チャネル（ＰＵＳＣＨ）でアップリンク制御情報（ＵＣＩ）が伝送される手順が考慮されている。また、ＵＣＩのコンテンツは、ＰＵＳＣＨ開始ポイント、ＰＵＳＣＨ終了ポイント、および場合によってはＵＬとＤＬとのＭＣＯＴ共有が可能であるかどうかを、基地局に通知し得る。ＮＲ／ＮＲ−Ｕのスロットは、１４個のＯＦＤＭシンボル（ＯＦＤＭ  ｓｙｍｂｏｌ，ＯＳ）を含む。これは、ＵＣＩがはじめて導入されたＦｅＬＡＡ  ＡＵＬのサブフレームにおけるＯＳの数と同じである。ＰＵＳＣＨは、通常、スロット内の１４個のＯＳのすべてまたはサブセットに跨る。ＡＵＬにおいて、ＵＥは、ＰＵＳＣＨの開始位置および終了位置を指示する。ＰＵＳＣＨ開始ポイントは、開始位置がＯＦＤＭシンボル＃０または＃１であることを指示し得る。ＰＵＳＣＨ終了ポイントは、終了位置がＯＦＤＭシンボル＃１２または＃１３であることを指示し得る。ＮＲ−Ｕにおいて、ＰＵＳＣＨが、ＵＥにより開始位置および終了位置が依然として選択される複数のスロットに跨ることがサポートされ得るが、選択肢は、１つのシンボルより多い場合がある。
【０１３４】
本願の実施形態は、非ライセンススペクトルにおける構成されたグラントに、ＵＣＩを使用することを提供する。ＵＣＩは、拡張可能な無線パラメータを有するＴｙｐｅ１およびＴｙｐｅ２のＮＲ−Ｕ  ＣＧベースの設計に適合するように修正され得る。
【０１３５】
例えば、いくつかの実施形態において、ＰＵＳＣＨ開始ポイントパラメータは、１または複数のＯＦＤＭシンボルを含む開始ポイントを定義するために拡張され得る。他の実施形態において、ＰＵＳＣＨ開始ポイントパラメータは、ＥＤに割り当てられた無線パラメータ（またはサブキャリア間隔）に基づいて、多数のＯＦＤＭシンボルに対する固定マッピングである開始ＯＦＤＭシンボルを指示し得る。
【０１３６】
ＰＵＳＣＨ終了ポイントは、ＰＵＳＣＨ開始ポイントと同様の方式で定義され得る。いくつかの実施形態において、ＰＵＳＣＨ終了ポイントは、１または複数のＯＦＤＭシンボルを含む開始ポイントを定義するために拡張され得る。他の実施形態において、ＰＵＳＣＨ終了ポイントパラメータは、ＥＤに割り当てられた無線パラメータ（またはサブキャリア間隔）に基づいて、多数のＯＦＤＭシンボルに対する固定マッピングである終了ＯＦＤＭシンボルを指示し得る。
【０１３７】
ＵＣＩはまた、ＰＵＳＣＨにより使用される予定の予め構成された時間領域リソース内の多数の時間領域リソースユニットを指示するパラメータフィールドを含み得る。ＵＣＩは、複数の時間領域リソース機会にわたって生じるＰＵＳＣＨに対する動作をサポートするパラメータフィールドを含み得る。
【０１３８】
いくつかの実施形態において、ＥＤは、ＰＵＳＣＨ開始ポイントとＰＵＳＣＨ終了ポイントとを選択する。ＥＤは、これらの開始ポイントおよび終了ポイントをＵＣＩにおける基地局に指示する。予め構成されたブランキングシンボルの位置が、伝送リソース機会の先頭にスケジューリングされた場合、ＰＵＳＣＨとブランキングシンボルとの重複を回避するために、ＰＵＳＣＨの開始は、ブランキングシンボル位置に続くようにスケジューリングされる必要がある。従って、ＥＤは、ブランキングシンボル位置を認識し、ブランキングシンボル位置と潜在的に重複するであろうＰＵＳＣＨ開始ポイントまたはＰＵＳＣＨ終了ポイントを基地局に通知することを回避するべきである。
【０１３９】
図６は、複数の伝送機会６１１、６１２、６１３および６１４を有するＣＧ時間リソース６１０を含むように構成され得る非ライセンススペクトルにおける伝送リソースの１つの期間６００の例を示す。伝送機会６１１、６１２および６１３に続くリソース間隔は、３個のスロットであり、伝送機会６１４に続くリソース間隔は、４個のスロットである。伝送機会の各々の先頭は、潜在的な伝送開始位置として識別される。図６では、第１および第２の伝送機会６１１および６１２において、ＬＢＴ手順が失敗したことが示される。第３の伝送機会６１３では、ＬＢＴ手順が成功したことが示される。ＬＢＴ手順の成功に続いて、ＥＤは、第１のＰＵＳＣＨ６２１の開始ポイントおよび終了ポイントを指示するＵＣＩ６２０を送信する。また、ＵＣＩ６２０は、ＰＵＳＣＨ６２１が２つのスロットを占有することを指示する。第１のＰＵＳＣＨ６２１は、スロット６１３Ａおよび６１３Ｂを占有する。
【０１４０】
第１のＰＵＳＣＨ６２１が一度終了すると、ＥＤは、別のＵＣＩ６３０を第２のＰＵＳＣＨ６３１に送信する。ＵＣＩ６３０は、第２のＰＵＳＣＨ６３１の開始ポイントおよび終了ポイントを指示する。また、ＵＣＩ６３０は、ＰＵＳＣＨ６３１が２つのスロットを占有することを指示する。また、ＵＣＩ６３０は、ＰＵＳＣＨ６３１が占有するスロットの数が２つのスロットであることを指示する。第２のＰＵＳＣＨ６３１は、スロット６１３Ｃおよび６１４Ａを占有する。
【０１４１】
第２のＰＵＳＣＨ６３１が一度終了すると、ＥＤは、別のＵＣＩ６４０を第３のＰＵＳＣＨ６４１に送信する。ＵＣＩ６４０は、第３のＰＵＳＣＨ６４１の開始ポイントおよび終了ポイントを指示する。第３のＰＵＳＣＨ６４１は、スロット６１４Ｂおよび６１４Ｃを占有する。
【０１４２】
第３のＰＵＳＣＨ６４１が一度終了すると、ＥＤは、別のＵＣＩ６５０を第４のＰＵＳＣＨ６５１に送信する。ＵＣＩ６５０は、第４のＰＵＳＣＨ６５１の開始ポイントおよび終了ポイントを指示する。また、ＵＣＩ６４０は、ＰＵＳＣＨ６４１がこの最後のスロットの残りを占有することを指示する。
【０１４３】
図６の例は、４回の伝送機会６１１、６１２、６１３および６１４が存在することを示す。これは、限定的な例であることを意図するものではない。いくつかの実施形態において、各伝送機会間の間隔は、単一スロットとみなされ得る。いくつかの実施形態において、各伝送機会間の間隔は、複数のミニスロットを有するスロットとみなされ得る。いくつかの実施形態において、各伝送機会間の間隔は、単一ミニスロットとみなされ得る。いくつかの実施形態において、各伝送機会間の間隔は、複数のシンボルを有するミニスロットとみなされ得る。
【０１４４】
図７は、本開示の実施形態に係る電子デバイス（ＥＤ）において実行される例示的な動作７００のフロー図である。
【０１４５】
段階７１０において、ＥＤは、基地局から、非ライセンススペクトルにおけるＣＧアップリンク伝送のためのＥＤを構成するために、構成されたグラント（ＣＧ）リソース構成情報を受信する。ＣＧリソース構成情報は、伝送リソースの期間内のＣＧ時間領域リソースの持続時間の指示を含む。ＣＧリソース構成情報は、ＣＧ時間領域リソースの周期性の指示を含む。ＣＧリソース構成情報は、時間領域リソース割り当て情報を含み得る。時間領域リソース割り当て情報は、リッスン・ビフォア・トーク（ＬＢＴ）手順が成功すると、ＥＤがＣＧ時間領域リソースの持続時間内にＣＧアップリンク伝送を開始する複数の機会を識別する。
【０１４６】
いくつかの実施形態において、ＣＧ時間領域リソースの持続時間の指示は、ＣＧ時間領域リソースを含む期間内のＣＧ時間領域リソースのサイズの指示である。
【０１４７】
いくつかの実施形態において、ＣＧ時間領域リソースのサイズの指示は、ＣＧ時間領域リソースのサイズのセットから選択されたＣＧ時間領域リソースのサイズに関連付けられたインデックスである。いくつかの実施形態において、ＣＧ時間領域リソースのサイズの指示は、ＣＧ時間領域リソースの絶対サイズの指示である。
【０１４８】
いくつかの実施形態において、時間領域リソース割り当て情報は、ＣＧ時間領域リソース内における伝送のための多数の開始位置の指示を含む。いくつかの実施形態において、時間領域リソース割り当て情報は、１）ＣＧ時間領域リソース内の多数のブランキング位置の指示、または、２）ＣＧ時間領域リソースの先頭からのブランキング位置間の時間間隔の指示のうちの１つを含む。ブランキング位置の各々に、時間領域リソース割り当て情報は、１）ブランキング位置における伝送のための開始ポイントの指示、または、２）ブランキング位置からの多数のブランキングシンボルの指示のうちの１つを含み得る。
【０１４９】
いくつかの実施形態において、ＣＧリソース構成情報は、直交周波数インターレースを使用するように構成されるＥＤと他のＥＤとの周波数多重化を可能にするために、ＥＤの伝送開始位置と他のＥＤの伝送開始位置とが揃えられるように選択される。
【０１５０】
いくつかの実施形態において、ＣＧリソース構成情報は、他のＥＤにより実行されるＬＢＴ手順の間、ＥＤと他のＥＤとの間の相互遮断を緩和するために、ＥＤの伝送開始位置の先頭にブランキング位置を揃えるように選択される。
【０１５１】
段階７２０において、ＥＤは、ＣＧリソース構成情報に従って、非ライセンススペクトルを介してＣＧアップリンク伝送を伝送する。
【０１５２】
いくつかの実施形態において、すべてのＣＧリソース構成情報は、ＲＲＣシグナリングにおいて受信される。
【０１５３】
いくつかの実施形態において、ＣＧ時間領域リソースの持続時間の指示と、ＣＧ時間領域リソースの周期性の指示は、無線リソース制御（ＲＲＣ）シグナリングにおいて受信され、時間領域リソース割り当て情報は、ダウンリンク制御情報（ＤＣＩ）シグナリングにおいて受信される。
【０１５４】
例示的な動作７００は、例示的な実施形態を例示する。示された動作を実行する様々な方法、ならびに、実行され得る他の動作の例が本明細書に説明される。さらなる変形が明らかであってもよく、または、明らかになってもよい。
【０１５５】
図８は、本開示の実施形態に係る基地局において実行される例示的な動作８００のフロー図である。
【０１５６】
段階８１０において、基地局は、非ライセンススペクトルにおけるＣＧアップリンク伝送のためのＥＤを構成するために、構成されたグラント（ＣＧ）リソース構成情報を、電子デバイス（ＥＤ）に伝送する。ＣＧリソース構成情報は、伝送リソースの期間内のＣＧ時間領域リソースの持続時間の指示を含む。ＣＧリソース構成情報は、ＣＧ時間領域リソースの周期性の指示を含む。ＣＧリソース構成情報は、時間領域リソース割り当て情報を含み得る。時間領域リソース割り当て情報は、リッスン・ビフォア・トーク（ＬＢＴ）手順が成功すると、ＥＤがＣＧ時間領域リソースの持続時間内にＣＧアップリンク伝送を開始する複数の機会を識別する。段階８２０において、基地局は、ＣＧリソース構成情報に従って、非ライセンススペクトルを介してＣＧアップリンク伝送を受信する。
【０１５７】
例示的な動作８００は、例示的な実施形態を例示する。示された動作を実行する様々な方法、ならびに、実行され得る他の動作の例が本明細書に説明される。さらなる変形が明らかであってもよく、または、明らかになってもよい。
【０１５８】
図９は、本開示の実施形態に係るＥＤにおいて実行される例示的な動作９００のフロー図である。
【０１５９】
段階９１０は、予め構成されたブランキングシンボルの位置が、スロット境界の開始においてスケジューリングされるかどうかを決定する段階を含む、任意選択の段階である。さらなる任意選択の段階において、予め構成されたブランキングシンボルの位置がスロット境界の開始においてスケジューリングされることが決定された場合、段階９１３は、ＥＤが、予め構成されたブランキングシンボルに続くシンボル位置となるＰＵＳＣＨ開始ポイントと、次のスロットまたは次の予め構成されたブランキングシンボルの開始より前のシンボル位置となるＰＵＳＣＨ終了ポイントとを選択する段階を含む。さらなる任意選択の段階において、予め構成されたブランキングシンボルの位置がスロット境界の開始においてスケジューリングされないことが決定された場合、段階９１６は、ＥＤが、スロット境界の後の第１のシンボル位置であるＰＵＳＣＨ開始ポイントと、次のスロットまたは次の予め構成されたブランキングシンボルの開始より前のシンボル位置となるＰＵＳＣＨ終了ポイントとを選択する段階を含む。
【０１６０】
段階９２０は、ＥＤが、非ライセンススペクトルにおけるＣＧアップリンク伝送のための基地局を構成するために、構成されたグラント（ＣＧ）リソース構成情報を伝送する段階を含む。ＣＧリソース構成情報は、ＰＵＳＣＨ開始ポイントの指示と、ＰＵＳＣＨ終了ポイントの指示と、ＰＵＳＣＨ持続時間、例えば、ＰＵＳＣＨにおけるスロットの数の指示とを含むアップリンク制御情報（ＵＣＩ）を、伝送される各物理アップリンク共有チャネル（ＰＵＳＣＨ）に含む。
【０１６１】
いくつかの実施形態において、ＰＵＳＣＨ開始ポイントの指示は、１）１または複数の直交周波数領域多重（ＯＦＤＭ）シンボルであるＰＵＳＣＨ開始ポイントの指示と、２）サブキャリア間隔構成に基づく多数のＯＦＤＭシンボルに対する固定マッピングであるＰＵＳＣＨ開始ポイントの指示とのうちの少なくとも１つを備える。
【０１６２】
例示的な動作９００は、例示的な実施形態を例示する。示された動作を実行する様々な方法、ならびに、実行され得る他の動作の例が本明細書に説明される。さらなる変形が明らかであってもよく、または、明らかになってもよい。
【０１６３】
本明細書に提供される実施形態の方法の１または複数の段階が、対応するユニットまたはモジュールによって実行され得ることを理解されたい。例えば、信号は、伝送ユニットまたは伝送モジュールにより伝送され得る。信号は、受信ユニットまたは受信モジュールにより受信され得る。信号は、処理ユニットまたは処理モジュールにより処理され得る。それぞれのユニット／モジュールは、ハードウェア、ソフトウェア、またはそれらの組み合わせであってよい。例えば、ユニット／モジュールのうちの１または複数は、フィールドプログラマブルゲートアレイ（ＦＰＧＡ）または特定用途向け集積回路（ＡＳＩＣ）などの集積回路であってよい。モジュールがソフトウェアである場合、当該モジュールは、必要に応じて全体または一部が、処理のために独立してまたは一緒に、必要に応じて単一または複数のインスタンスにおいて、プロセッサにより取り出されてよいことと、当該モジュール自体がさらなる展開およびインスタンス化のための命令を含んでよいこととを理解されよう。
【０１６４】
ＥＤおよび基地局に関する追加の詳細は、当業者には既知である。そのため、これらの詳細は、分かりやすくするために、ここでは省略される。
【０１６５】
上述の説明において、説明の目的のために、実施形態の十分な理解を提供すべく、多くの詳細が説明される。しかしながら、当業者には、これらの具体的な詳細が必要でないことが明らかである。他の例では、理解を曖昧にしないために、周知の電気的構造および回路が、ブロック図の形態で示される。例えば、本明細書に説明された実施形態が、ソフトウェアルーチン、ハードウェア回路、ファームウェア、またはそれらの組み合わせとして実装されたかどうかについては、具体的な詳細は提供されない。
【０１６６】
本開示の実施形態は、機械可読媒体（コンピュータ可読媒体、プロセッサ可読媒体、または、その中にコンピュータ可読プログラムコードが組み込まれたコンピュータ使用可能媒体とも称される）に格納されたコンピュータプログラム製品と表され得る。機械可読媒体は、ディスケット、コンパクトディスクリードオンリメモリ（ＣＤ−ＲＯＭ）、メモリデバイス（揮発性または不揮発性）、または、同様のストレージメカニズムを含む、磁気、光、または電気的記憶媒体を含む任意の適切な有形の非一時的媒体であり得る。機械可読媒体は、様々なセットの命令、コードシーケンス、構成情報、または、他のデータを含み得る。当該他のデータは、実行される場合、本開示の一実施形態に係る方法における段階をプロセッサに実行させる。当業者は、説明された実装を実装するために必要な他の命令および動作が、機械可読媒体にも格納され得ることを理解されよう。機械可読媒体に格納された命令は、プロセッサ、または他の適切な処理デバイスにより実行され得、回路とインタフェース接続して、説明されたタスクを実行し得る。
【０１６７】
図面の内容は、例示の目的のみを意図しており、本発明は、明示的に図面に示され、本明細書に説明された特定の例示的な実施形態に決して限定されるものではない。例えば、図１は、実施形態が実装され得る通信システムのブロック図である。他の実施形態は、示されるものより多くのネットワークエレメントを含む通信システム、または、示される例とは異なるトポロジを有する通信システムにおいて実装され得る。同様に、他の図における例も、例示の目的のみを意図するものである。
【０１６８】
他の実装の詳細も、異なる実施形態間で変化し得る。例えば、上述の例のいくつかは、ＮＲおよびＬＴＥ用語を指す。しかしながら、本明細書に開示される実施形態は、ＮＲまたはＬＴＥシステムに決して限定されるものではない。
【０１６９】
加えて、方法およびシステムのコンテキストにおいて主に説明されたが、例えば、非一時的プロセッサ可読媒体に格納される命令のように、他の実装も想定される。命令は、１または複数のプロセッサにより実行される場合、１または複数のプロセッサに方法を実行させる。
【０１７０】
第１の例によると、無線通信ネットワークにおける電子デバイス（ＥＤ）のための方法であって、当該方法は、基地局から、ＥＤにおいて、非ライセンススペクトルにおけるＣＧアップリンク伝送のためのＥＤを構成するために、構成されたグラント（ＣＧ）リソース構成情報を受信する段階であって、ＣＧリソース構成情報は、伝送リソースの期間内のＣＧ時間領域リソースの持続時間の指示と、ＣＧ時間領域リソースの周期性の指示と、時間領域リソース割り当て情報とを含み、時間領域リソース割り当て情報は、リッスン・ビフォア・トーク（ＬＢＴ）手順が成功すると、ＥＤがＣＧ時間領域リソースの持続時間内にＣＧアップリンク伝送を開始する複数の機会を識別する、受信する段階と、ＣＧリソース構成情報に従って、非ライセンススペクトルを介してＣＧアップリンク伝送を伝送する段階とを含む、方法が提供される。
【０１７１】
第１の例の第１の実施形態によると、ＣＧ時間領域リソースの持続時間の指示は、ＣＧ時間領域リソースを含む期間内のＣＧ時間領域リソースのサイズの指示を備える。
【０１７２】
第１の例の第２の実施形態によると、ＣＧ時間領域リソースのサイズの指示は、ＣＧ時間領域リソースのサイズのセットから選択されたＣＧ時間領域リソースのサイズに関連付けられたインデックス、または、ＣＧ時間領域リソースの絶対サイズの指示のうちの１つである。
【０１７３】
第１の例の第３の実施形態によると、時間領域リソース割り当て情報は、ＣＧ時間領域リソース内の伝送の多数の開始位置の指示と、ＣＧ時間領域リソース内の多数のブランキング位置の指示、または、ＣＧ時間領域リソースの先頭からのブランキング位置間の時間間隔の指示のうちの１つと、を含み、ブランキング位置の各々には、ブランキング位置における伝送の開始ポイントの指示、または、ブランキング位置からの多数のブランキングシンボルの指示のうちの１つを含む。
【０１７４】
第１の例の第４の実施形態によると、すべてのＣＧリソース構成情報は、無線リソース制御（ＲＲＣ）シグナリングにおいて受信される。
【０１７５】
第１の例の第５の実施形態によると、ＣＧ時間領域リソースの持続時間の指示と、ＣＧ時間領域リソースの周期性の指示は、無線リソース制御（ＲＲＣ）シグナリングにおいて受信され、時間領域リソース割り当て情報は、ダウンリンク制御情報（ＤＣＩ）シグナリングにおいて受信される。
【０１７６】
第１の例の第６の実施形態によると、ＣＧリソース構成情報は、他のＥＤにより実行されるＬＢＴ手順の間、ＥＤと他のＥＤとの間の相互遮断を緩和するために、ＥＤの伝送開始位置の先頭にブランキング位置を揃えるように選択される。
【０１７７】
第１の例の第７の実施形態によると、方法はさらに、直交周波数インターレースを使用するように構成されるＥＤと他のＥＤとの周波数多重化を可能にするために、ＥＤの伝送開始位置と他のＥＤの伝送開始位置とを揃えるようにＣＧリソース構成情報を選択する段階を含む。
【０１７８】
第１の例の第８の実施形態によると、方法はさらに、ＥＤが、広帯域キャリア内の複数のサブバンドの識別と、非ライセンススペクトルにおけるＣＧアップリンク伝送のために構成された１または複数の周波数インターレースとを備える周波数領域リソースの指示を受信する段階と、ＥＤが、複数のサブバンドのうちの少なくとも１つに対してＬＢＴ手順を実行する段階とを含む。
【０１７９】
第１の例の第９の実施形態によると、複数のサブバンドにおけるサブバンドの数は、伝送のトラフィックタイプ、または伝送の伝送ブロック（ＴＢ）サイズのうちの１つに基づく。
【０１８０】
第１の例の第１０の実施形態によると、方法はさらに、ＥＤが、非ライセンススペクトルにおけるＣＧアップリンク伝送のための複数のサブバンドに対するサブバンドごとに１または複数の周波数インターレースの指示を受信する段階であって、ＥＤのために構成されたサブバンドごとの１または複数の周波数インターレースは、基地局がサービスを提供する他のＥＤのために構成されたサブバンドごとの１または複数の周波数インターレースとは異なる、受信する段階を含む。
【０１８１】
第２の例によると、無線通信ネットワークにおける基地局のための方法であって、当該方法は、基地局が、非ライセンススペクトルにおけるＣＧアップリンク伝送のためのＥＤを構成するために、構成されたグラント（ＣＧ）リソース構成情報を電子デバイス（ＥＤ）に伝送する段階であって、ＣＧリソース構成情報は、伝送リソースの期間内のＣＧ時間領域リソースの持続時間の指示と、ＣＧ時間領域リソースの周期性の指示と、時間領域リソース割り当て情報とを含み、時間領域リソース割り当て情報は、リッスン・ビフォア・トーク（ＬＢＴ）手順が成功すると、ＵＥがＣＧ時間領域リソースの持続時間内にＣＧアップリンク伝送を開始する複数の機会を識別する、伝送する段階と、ＣＧリソース構成情報に従って、非ライセンススペクトルを介してＣＧアップリンク伝送を受信する段階とを含む、方法が提供される。
【０１８２】
第２の例の第１の実施形態によると、ＣＧ時間領域リソースの持続時間の指示は、ＣＧ時間領域リソースを含む期間内のＣＧ時間領域リソースのサイズの指示を含む。
【０１８３】
第２の例の第２の実施形態によると、ＣＧ時間領域リソースのサイズの指示は、ＣＧ時間領域リソースのサイズのセットから選択されたＣＧ時間領域リソースのサイズに関連付けられたインデックス、または、ＣＧ時間領域リソースの絶対サイズの指示のうちの１つである。
【０１８４】
第２の例の第３の実施形態によると、時間領域リソース割り当て情報は、ＣＧ時間領域リソース内のデータ伝送の多数の開始位置の指示と、ＣＧ時間領域リソース内の多数のブランキング位置の指示、または、ＣＧ時間領域リソースの先頭からのブランキング位置間の時間間隔の指示のうちの１つと、を含み、ブランキング位置の各々には、ブランキング位置における伝送の開始ポイントの指示、または、ブランキング位置からの多数のブランキングシンボルの指示のうちの１つを含む。
【０１８５】
第２の例の第４の実施形態によると、すべてのＣＧリソース構成情報は、無線リソース制御（ＲＲＣ）シグナリングにおいて伝送される。
【０１８６】
第２の例の第５の実施形態によると、ＣＧ時間領域リソースの持続時間の指示と、ＣＧ時間領域リソースの周期性の指示は、無線リソース制御（ＲＲＣ）シグナリングにおいて伝送され、時間領域リソース割り当て情報は、ダウンリンク制御情報（ＤＣＩ）シグナリングにおいて受信される。
【０１８７】
第２の例の第６の実施形態によると、ＣＧリソース構成情報は、他のＥＤにより実行されるＬＢＴ手順の間、ＥＤと他のＥＤとの間の相互遮断を緩和するために、ＥＤの伝送開始位置の先頭にブランキング位置を揃えるように選択される。
【０１８８】
第２の例の第７の実施形態によると、方法はさらに、直交周波数インターレースを使用するように構成されるＥＤと他のＥＤとの周波数多重化を可能にするために、ＥＤの伝送開始位置と他のＥＤの伝送開始位置とを揃えるようにＣＧリソース構成情報を選択する段階を含む。
【０１８９】
第２の例の第８の実施形態によると、方法はさらに、基地局が、広帯域キャリア内の複数のサブバンドの識別と、非ライセンススペクトルにおけるＣＧアップリンク伝送のために構成された１または複数の周波数インターレースとを含む周波数領域リソースの指示を伝送する段階を含む。
【０１９０】
第２の例の第９の実施形態によると、方法はさらに、基地局が、基地局によりサービス提供される各ＥＤに対する非ライセンススペクトルにおけるＣＧアップリンク伝送のための複数のサブバンドに対するサブバンドごとに１または複数の周波数インターレースの指示を伝送する段階であって、各ＥＤのために構成されたサブバンドごとの１または複数の周波数インターレースは、他のＥＤとは異なる、伝送する段階を含む。
【０１９１】
第３の例によると、無線通信ネットワークにおける電子デバイス（ＥＤ）のための方法であって、当該方法は、ＥＤが、非ライセンススペクトルにおけるＣＧアップリンク伝送のための基地局を構成するために、構成されたグラント（ＣＧ）リソース構成情報を伝送する段階であって、ＣＧリソース構成情報は、伝送される各物理アップリンク共有チャネル（ＰＵＳＣＨ）に、ＰＵＳＣＨ開始ポイントの指示と、ＰＵＳＣＨ終了ポイントの指示と、例えば、ＰＵＳＣＨにおけるスロットの数などのＰＵＳＣＨ持続時間の指示とを含むアップリンク制御情報（ＵＣＩ）を含む、伝送する段階を含む、方法が提供される。
【０１９２】
第３の例の第１の実施形態によると、ＰＵＳＣＨ開始ポイントの指示は、１または複数の直交周波数領域多重（ＯＦＤＭ）シンボルであるＰＵＳＣＨ開始ポイントの指示と、サブキャリア間隔構成に基づく多数のＯＦＤＭシンボルに対する固定マッピングであるＰＵＳＣＨ開始ポイントの指示とのうちの少なくとも１つを備える。
【０１９３】
第３の例の第２の実施形態によると、方法はさらに、予め構成されたブランキングシンボルの位置が、最後のスロット境界の終端からＰＵＳＣＨ開始ポイントに先行するシンボル位置、または、次のスロット境界の開始ポイントまでのＰＵＳＣＨ終了ポイントに続くシンボル位置と重複する場合、ＵＥが、予め構成されたブランキングシンボルに続くシンボル位置になるＰＵＳＣＨ開始ポイントと、次のスロットまたは次の予め構成されたブランキングシンボルの開始より前のシンボル位置になるＰＵＳＣＨ終了ポイントとを選択する段階を含む。
【０１９４】
第４の例によると、無線通信ネットワークにおける方法であって、当該方法は、基地局が、電子デバイス（ＥＤ）から、非ライセンススペクトルにおけるＣＧアップリンク伝送のための基地局を構成するために、構成されたグラント（ＣＧ）リソース構成情報を受信する段階であって、ＣＧリソース構成情報は、伝送される各物理アップリンク共有チャネル（ＰＵＳＣＨ）に、ＰＵＳＣＨ開始ポイントの指示と、ＰＵＳＣＨ終了ポイントの指示と、例えば、ＰＵＳＣＨにおけるスロットの数などのＰＵＳＣＨ持続時間の指示とを含むアップリンク制御情報（ＵＣＩ）を備える、受信する段階を含む、方法が提供される。
【０１９５】
第４の例の第１の実施形態によると、ＰＵＳＣＨ開始ポイントの指示は、１または複数の直交周波数領域多重（ＯＦＤＭ）シンボルであるＰＵＳＣＨ開始ポイントの指示と、サブキャリア間隔構成に基づく多数のＯＦＤＭシンボルに対する固定マッピングであるＰＵＳＣＨ開始ポイントの指示とのうちの少なくとも１つを備える。
【０１９６】
第４の例の第２の実施形態によると、方法はさらに、選択されたＰＵＳＣＨ開始ポイントおよび選択されたＰＵＳＣＨ終了ポイントの指示を受信する段階であって、ＰＵＳＣＨ開始ポイントは、予め構成されたブランキングシンボルに続くシンボル位置であり、ＰＵＳＣＨ終了ポイントは、次のスロットまたは次の予め構成されたブランキングシンボルの開始より前のシンボル位置である、受信する段階を含む。
【０１９７】
第５の例によると、プロセッサと、プロセッサ可読ストレージデバイスとを含む装置が提供される。プロセッサ可読ストレージデバイスには、プロセッサにより実行される場合、上述された第１の例の実施形態のうちのいずれか１つに係る方法をプロセッサに実行させるプロセッサ実行可能命令が格納されている。
【０１９８】
第５の例の第１の実施形態によると、装置は、電子デバイス（ＥＤ）である。
【０１９９】
第６の例によると、プロセッサと、プロセッサ可読ストレージデバイスとを含む装置が提供される。プロセッサ可読ストレージデバイスには、プロセッサにより実行される場合、上述された第２の例の実施形態のうちのいずれか１つに係る方法をプロセッサに実行させるプロセッサ実行可能命令が格納されている。
【０２００】
第６の例の第１の実施形態によると、装置は、電子デバイス（ＥＤ）である。
【０２０１】
第７の例によると、プロセッサと、プロセッサ可読ストレージデバイスとを含む装置が提供される。プロセッサ可読ストレージデバイスには、プロセッサにより実行される場合、上述された第３の例の実施形態のうちのいずれか１つに係る方法をプロセッサに実行させるプロセッサ実行可能命令が格納されている。
【０２０２】
第７の例の第１の実施形態によると、装置は基地局である。
【０２０３】
第８の例によると、プロセッサと、プロセッサ可読ストレージデバイスとを含む装置が提供される。プロセッサ可読ストレージデバイスには、プロセッサにより実行される場合、上述された第４の例の実施形態のうちのいずれか１つに係る方法をプロセッサに実行させるプロセッサ実行可能命令が格納されている。
【０２０４】
第８の例の第１の実施形態によると、装置は基地局である。上述された実施形態は、単なる例であることが意図されている。改変、修正および変更は、当業者により特定の実施形態に対して実現され得る。請求項の範囲は、本明細書に説明する特定の実施形態により限定されるべきではなく、明細書全体と一貫した方式で解釈されるべきである。
［考えられる他の項目］
［項目１］
無線通信ネットワークにおける電子デバイス（ＥＤ）のための方法であって、上記方法は、
基地局から、上記ＥＤにおいて、非ライセンススペクトルにおけるＣＧアップリンク伝送のための上記ＥＤを構成するために、構成されたグラント（ＣＧ）リソース構成情報を受信する段階であって、上記ＣＧリソース構成情報は、ＣＧ時間領域リソースの期間内におけるＣＧ時間領域リソースの持続時間の指示と、上記ＣＧ時間領域リソースの周期性の指示とを含む、受信する段階と、
上記ＣＧリソース構成情報に従って、上記非ライセンススペクトルを介して上記ＣＧアップリンク伝送を伝送する段階と
を備える、方法。
［項目２］
上記ＣＧリソース構成情報はさらに、ＣＧ時間領域リソース割り当て情報を備え、上記時間領域リソース割り当て情報は、リッスン・ビフォア・トーク（ＬＢＴ）手順が成功すると、上記ＥＤが上記ＣＧ時間領域リソースの持続時間内にＣＧアップリンク伝送を開始する複数の機会を識別する、項目１に記載の方法。
［項目３］
上記ＣＧ時間領域リソースの持続時間の上記指示は、上記ＣＧ時間領域リソースを含む上記期間内の上記ＣＧ時間領域リソースのサイズの指示を備える、項目１または２に記載の方法。
［項目４］
上記ＣＧ時間領域リソースの上記サイズの上記指示は、
ＣＧ時間領域リソースのサイズのセットから選択されたＣＧ時間領域リソースのサイズに関連付けられたインデックス、または、
上記ＣＧ時間領域リソースの絶対サイズの指示のうちの１つである、項目３に記載の方法。
［項目５］
上記ＣＧ時間領域リソース割り当て情報は、
上記ＣＧ時間領域リソース内の伝送の多数の開始位置の指示と、
上記ＣＧ時間領域リソース内の多数のブランキング位置の指示、または、
上記ＣＧ時間領域リソースの先頭からのブランキング位置間の時間間隔の指示のうちの１つと
を含み、
上記ブランキング位置の各々には、上記ブランキング位置における上記伝送の開始ポイントの指示、または、
上記ブランキング位置からの多数のブランキングシンボルの指示のうちの１つを含む、項目２から４のいずれか一項に記載の方法。
［項目６］
すべての上記ＣＧリソース構成情報は、無線リソース制御（ＲＲＣ）シグナリングにおいて受信される、項目１から５のいずれか一項に記載の方法。
［項目７］
上記ＣＧリソース構成情報は、一部は無線リソース制御（ＲＲＣ）シグナリングにおいて、一部はダウンリンク制御情報（ＤＣＩ）シグナリングにおいて受信される、項目１から５のいずれか一項に記載の方法。
［項目８］
上記ＣＧリソース構成情報は、他のＥＤにより実行されるＬＢＴ手順の間、上記ＥＤと上記他のＥＤとの間の相互遮断を緩和するために、上記ＥＤの伝送開始位置の先頭にブランキング位置を揃えるように選択される、項目１から７のいずれか一項に記載の方法。
［項目９］
直交周波数インターレースを使用するように構成される上記ＥＤと他のＥＤとの周波数多重化を可能にするために、上記ＥＤの伝送開始位置と他のＥＤの伝送開始位置とを揃えるように上記ＣＧリソース構成情報を選択する段階をさらに備える、項目１から８のいずれか一項に記載の方法。
［項目１０］
上記ＥＤが、広帯域キャリア内の複数のサブバンドの識別と、上記非ライセンススペクトルにおける上記ＣＧアップリンク伝送のために構成された１または複数の周波数インターレースとを備える周波数領域リソースの指示を受信する段階と、
上記ＥＤが、上記複数のサブバンドのうちの少なくとも１つに対して上記ＬＢＴ手順を実行する段階と
をさらに備える、項目１から９のいずれか一項に記載の方法。
［項目１１］
上記複数のサブバンドにおけるサブバンドの数は、上記伝送のトラフィックタイプ、または上記伝送の伝送ブロック（ＴＢ）サイズのうちの１つに基づく、項目１０に記載の方法。
［項目１２］
上記ＥＤが、上記非ライセンススペクトルにおける上記ＣＧアップリンク伝送のための上記複数のサブバンドに対するサブバンドごとに１または複数の周波数インターレースの指示を受信する段階であって、上記ＥＤのために構成されたサブバンドごとの上記１または複数の周波数インターレースは、上記基地局がサービスを提供する他のＥＤのために構成されたサブバンドごとの１または複数の周波数インターレースとは異なる、受信する段階をさらに備える、項目１０に記載の方法。
［項目１３］
無線通信ネットワークにおける基地局のための方法であって、上記方法は、
上記基地局において、非ライセンススペクトルにおけるＣＧアップリンク伝送のための電子デバイス（ＥＤ）を構成するために、構成されたグラント（ＣＧ）リソース構成情報を上記ＥＤに伝送する段階であって、上記ＣＧリソース構成情報は、
ＣＧ時間領域リソースの期間内におけるＣＧ時間領域リソースの持続時間の指示と、
上記ＣＧ時間領域リソースの周期性の指示と
を含む、伝送する段階と、
上記ＣＧリソース構成情報に従って、上記非ライセンススペクトルを介して上記ＣＧアップリンク伝送を受信する段階と
を備える、方法。
［項目１４］
上記ＣＧリソース構成情報はさらに、ＣＧ時間領域リソース割り当て情報を含み、上記時間領域リソース割り当て情報は、リッスン・ビフォア・トーク（ＬＢＴ）手順が成功すると、上記ＵＥが上記ＣＧ時間領域リソースの持続時間内にＣＧアップリンク伝送を開始する複数の機会を識別する、項目１３に記載の方法。
［項目１５］
上記ＣＧ時間領域リソースの持続時間の上記指示は、上記ＣＧ時間領域リソースを含む期間内の上記ＣＧ時間領域リソースのサイズの指示を備える、項目１３または１４に記載の方法。
［項目１６］
上記ＣＧ時間領域リソースの上記サイズの上記指示は、
ＣＧ時間領域リソースのサイズのセットから選択されたＣＧ時間領域リソースのサイズに関連付けられたインデックス、または、
上記ＣＧ時間領域リソースの絶対サイズの指示のうちの１つである、項目１５に記載の方法。
［項目１７］
上記ＣＧ時間領域割り当て情報は、
上記ＣＧ時間領域リソース内のデータ伝送の多数の開始位置の指示と、
上記ＣＧ時間領域リソース内の多数のブランキング位置の指示、または、
上記ＣＧ時間領域リソースの先頭からのブランキング位置間の時間間隔の指示のうちの１つと
を含み、
上記ブランキング位置の各々には、上記ブランキング位置における上記伝送の開始ポイントの指示、または、
上記ブランキング位置からの多数のブランキングシンボルの指示のうちの１つを含む、項目１３から１６のいずれか一項に記載の方法。
［項目１８］
すべての上記ＣＧリソース構成情報は、無線リソース制御（ＲＲＣ）シグナリングにおいて伝送される、項目１３から１７のいずれか一項に記載の方法。
［項目１９］
上記ＣＧリソース構成情報は、一部は無線リソース制御（ＲＲＣ）シグナリングにおいて、一部はダウンリンク制御情報（ＤＣＩ）シグナリングにおいて受信される、項目１３から１７のいずれか一項に記載の方法。
［項目２０］
上記ＣＧリソース構成情報は、他のＥＤにより実行されるＬＢＴ手順の間、上記ＥＤと上記他のＥＤとの間の相互遮断を緩和するために、上記ＥＤの伝送開始位置の先頭にブランキング位置を揃えるように選択される、項目１３から１９のいずれか一項に記載の方法。
［項目２１］
直交周波数インターレースを使用するように構成される上記ＥＤと他のＥＤとの周波数多重化を可能にするために、上記ＥＤの伝送開始位置と他のＥＤの伝送開始位置とを揃えるように上記ＣＧリソース構成情報を選択する段階をさらに備える、項目１３から２０のいずれか一項に記載の方法。
［項目２２］
上記基地局が、広帯域キャリア内の複数のサブバンドの識別と、上記非ライセンススペクトルにおける上記ＣＧアップリンク伝送のために構成された１または複数の周波数インターレースとを備える周波数領域リソースの指示を伝送する段階をさらに備える、項目１２から２１のいずれか一項に記載の方法。
［項目２３］
上記基地局が、上記基地局によりサービス提供される各ＥＤに対する上記非ライセンススペクトルにおける上記ＣＧアップリンク伝送のための上記複数のサブバンドに対するサブバンドごとに１または複数の周波数インターレースの指示を伝送する段階であって、各ＥＤのために構成されたサブバンドごとの上記１または複数の周波数インターレースは、他のＥＤとは異なる、伝送する段階をさらに備える、項目２２に記載の方法。
［項目２４］
無線通信ネットワークにおける電子デバイス（ＥＤ）のための方法であって、上記方法は、上記ＥＤが、非ライセンススペクトルにおけるＣＧアップリンク伝送のための基地局を構成するために、構成されたグラント（ＣＧ）リソース構成情報を伝送する段階であって、上記ＣＧリソース構成情報は、伝送される各物理アップリンク共有チャネル（ＰＵＳＣＨ）に、ＰＵＳＣＨ開始ポイントの指示と、ＰＵＳＣＨ終了ポイントの指示とを含むアップリンク制御情報（ＵＣＩ）を備える、伝送する段階を含む、方法。
［項目２５］
上記ＰＵＳＣＨ開始ポイントの上記指示は、
１または複数の直交周波数領域多重（ＯＦＤＭ）シンボルである上記ＰＵＳＣＨ開始ポイントの指示と、
サブキャリア間隔構成に基づく多数のＯＦＤＭシンボルに対する固定マッピングである上記ＰＵＳＣＨ開始ポイントの指示と
のうちの少なくとも１つを備える、項目２４に記載の方法。
［項目２６］
予め構成されたブランキングシンボルの位置が、上記最後のスロット境界の上記終端から上記ＰＵＳＣＨ開始ポイントに先行するシンボル位置、または、次のスロット境界の上記開始ポイントまでの上記ＰＵＳＣＨ開始ポイントに続くシンボル位置と重複する場合、上記ＵＥが、予め構成された上記ブランキングシンボルに続くシンボル位置になる上記ＰＵＳＣＨ開始ポイントと、次のスロットまたは次の予め構成されたブランキングシンボルの上記開始より前のシンボル位置になる上記ＰＵＳＣＨ終了ポイントとを選択する段階をさらに備える、項目２４または２５に記載の方法。
［項目２７］
無線通信ネットワークにおける方法であって、上記方法は、
基地局が、電子デバイス（ＥＤ）から、非ライセンススペクトルにおけるＣＧアップリンク伝送のための上記基地局を構成するために、構成されたグラント（ＣＧ）リソース構成情報を受信する段階であって、上記ＣＧリソース構成情報は、伝送される各物理アップリンク共有チャネル（ＰＵＳＣＨ）に、ＰＵＳＣＨ開始ポイントの指示と、ＰＵＳＣＨ終了ポイントの指示とを含むアップリンク制御情報（ＵＣＩ）を備える、受信する段階を備える、方法。
［項目２８］
上記ＰＵＳＣＨ開始ポイントの上記指示は、
１または複数の直交周波数領域多重（ＯＦＤＭ）シンボルである上記ＰＵＳＣＨ開始ポイントの指示と、
サブキャリア間隔構成に基づく多数のＯＦＤＭシンボルに対する固定マッピングである上記ＰＵＳＣＨ開始ポイントの指示と
のうちの少なくとも１つを備える、項目２７に記載の方法。
［項目２９］
上記選択されたＰＵＳＣＨ開始ポイントおよび上記選択されたＰＵＳＣＨ終了ポイントの指示を受信する段階であって、予め構成されたブランキングシンボルの位置が、上記最後のスロット境界の上記終端から上記ＰＵＳＣＨ開始ポイントに先行するシンボル位置、または、次のスロット境界の上記開始ポイントまでの上記ＰＵＳＣＨ開始ポイントに続くシンボル位置と重複する場合、上記ＰＵＳＣＨ開始ポイントは、上記予め構成されたブランキングシンボルに続くシンボル位置であり、上記ＰＵＳＣＨ終了ポイントは、次のスロットまたは次の予め構成されたブランキングシンボルの上記開始より前のシンボル位置である、受信する段階をさらに備える、項目２７または２８に記載の方法。
［項目３０］
プロセッサと、
上記プロセッサにより実行される場合、項目１から１２のいずれか一項に記載の方法を上記プロセッサに実行させるプロセッサ実行可能命令が格納されているプロセッサ可読ストレージデバイスと
を備える、装置。
［項目３１］
上記装置は電子デバイス（ＥＤ）である、項目３０に記載の装置。
［項目３２］
プロセッサと、
上記プロセッサにより実行される場合、項目２４から２６のいずれか一項に記載の方法を上記プロセッサに実行させるプロセッサ実行可能命令が格納されているプロセッサ可読ストレージデバイスと
を備える、装置。
［項目３３］
上記装置は電子デバイス（ＥＤ）である、項目３２に記載の装置。
［項目３４］
プロセッサと、
上記プロセッサにより実行される場合、項目１３から２３のいずれか一項に記載の方法を上記プロセッサに実行させるプロセッサ実行可能命令が格納されているプロセッサ可読ストレージデバイスと
を備える、装置。
［項目３５］
上記装置は基地局である、項目３４に記載の装置。
［項目３６］
プロセッサと、
上記プロセッサにより実行される場合、項目２７から２９のいずれか一項に記載の方法を上記プロセッサに実行させるプロセッサ実行可能命令が格納されているプロセッサ可読ストレージデバイスと
を備える、装置。
［項目３７］
上記装置は基地局である、項目３６に記載の装置。
【図１】
2022501954.tif 000003
【図２Ａ】
2022501954.tif 000004
【図２Ｂ】
2022501954.tif 000005
【図３】
2022501954.tif 000006
【図４】
2022501954.tif 000007
【図５】
2022501954.tif 000008
【図６】
2022501954.tif 000009
【図７】
2022501954.tif 000010
【図８】
2022501954.tif 000011
【図９】
2022501954.tif 000012
【国際調査報告】
2022501954.tif 000013
2022501954.tif 000014